(57)【要約】  少なくとも１つの液体ポリマーコーティングデバイスおよび電界紡糸ゾーンを含む電界紡糸筐体と、電界紡糸筐体の外に設けられたワイヤ駆動システムとを含む、ナノスケールまたはサブミクロンスケールのポリマー繊維ウェブを担体上に連続ニードルレス電界紡糸する装置である。ワイヤ駆動システムは、複数の連続電極ワイヤを、電界紡糸筐体を通って走行させる。液体ポリマーリサイクルおよび供給システムは、電界紡糸筐体の外に設けられており、少なくとも１つの液体ポリマーコーティングデバイスへ液体ポリマーを供給し、また、少なくとも１つの液体ポリマーコーティングデバイスからオーバーフローした液体ポリマーを受け入れる、リサイクルおよび供給タンクを含む。蒸気収集および溶媒回収システムは、少なくとも１つの排気流を含み、電界紡糸筐体内で発生した蒸気を収集および処理し、また、電界紡糸筐体内の圧力を大気圧よりも低く保つ。
2020504248.tif 000002
【特許請求の範囲】
【請求項１】
ナノスケールまたはサブミクロンスケールのポリマー繊維ウェブを担体上に連続ニードルレス電界紡糸する装置であって、
前記装置が、
少なくとも１つの液体ポリマーコーティングデバイスおよび電界紡糸ゾーンを含む電界紡糸筐体と、
前記電界紡糸筐体の外に設けられたワイヤ駆動システムと、
前記電界紡糸筐体の外に設けられた、リサイクルおよび供給タンクを含む液体ポリマーリサイクルおよび供給システムと、
前記電界紡糸筐体の外に設けられた、前記電界紡糸筐体内で発生した蒸気を収集および処理するための、また、前記電界紡糸筐体内の圧力を大気圧よりも低く保つための、少なくとも１つの排気流を含む、蒸気収集および溶媒回収システムと、
を含み、
前記ワイヤ駆動システムが、複数の連続電極ワイヤを、前記電界紡糸筐体と、その中に設けられた少なくとも１つの前記液体ポリマーコーティングデバイスおよび前記電界紡糸ゾーンとを通って走行させ、
前記リサイクルおよび供給タンクが、少なくとも１つの前記液体ポリマーコーティングデバイスへ液体ポリマーを供給し、また、少なくとも１つの前記液体ポリマーコーティングデバイスからオーバーフローした液体ポリマーを受け入れる、
ことを特徴とする装置。
【請求項２】
請求項１に記載の装置であって、前記液体ポリマーリサイクルおよび供給システムが、液体ポリマーを少なくとも１つの前記液体ポリマーコーティングデバイスへ送る液体ポリマー循環および供給ポンプと、液体ポリマーを所望の温度に保つ液体ポリマー熱交換器とを更に含むことを特徴とする装置。
【請求項３】
請求項１または２に記載の装置であって、少なくとも１つの前記液体ポリマーコーティングデバイスが、液体ポリマー供給ポートと液体ポリマー再循環ポートとを含み、前記液体ポリマー供給ポートが、前記液体ポリマーリサイクルおよび供給システムから液体ポリマーを受け入れ、前記液体ポリマー再循環ポートが、重力流によって液体ポリマーを前記液体ポリマーリサイクルおよび供給システムへ戻すことを特徴とする装置。
【請求項４】
請求項１から３のいずれかに記載の装置であって、液体ポリマー調製システムを更に含み、前記液体ポリマー調製システムが、ポリマー貯蔵および補給ユニットと液体ポリマー調製タンクとを含み、
前記ポリマー貯蔵および補給ユニットが、前記装置で使用するバルクポリマーを貯蔵し、
前記液体ポリマー調製タンクが、前記ポリマー貯蔵および補給ユニットからバルクポリマーを、溶媒供給源から溶媒を受け入れ、その中で前記装置のための液体ポリマーを調製することを特徴とする装置。
【請求項５】
請求項４に記載の装置であって、前記液体ポリマー調製タンクと前記リサイクルおよび供給タンクとの間に設けられた、前記液体ポリマー調製タンク内で調製した液体ポリマーを前記液体ポリマーリサイクルおよび供給システムへ供給するための液体ポリマー補給流を更に含むことを特徴とする装置。
【請求項６】
請求項１から５のいずれかに記載の装置であって、前記電界紡糸筐体内に設けられたワイヤクリーニングアセンブリと、前記電界紡糸筐体の外に設けられた溶媒貯蔵および供給システムとを更に含み、
前記溶媒貯蔵および供給システムが、溶媒を前記ワイヤクリーニングアセンブリへ供給し、
前記ワイヤ駆動システムが、複数の前記連続電極ワイヤを、前記ワイヤクリーニングアセンブリを通って走行させて、それから残留ポリマーを清掃する、
ことを特徴とする装置。
【請求項７】
請求項６に記載の装置であって、前記溶媒貯蔵および供給システムが、溶媒貯蔵タンクと、溶媒供給ポンプと、溶媒供給流と、液体ポリマー希釈流とを含み、
前記溶媒貯蔵タンクが、前記装置のための溶媒を貯蔵し、
前記溶媒供給流が、前記溶媒貯蔵タンクと前記ワイヤクリーニングアセンブリとの間に設けられており、
前記液体ポリマー希釈流が、前記溶媒貯蔵タンクと前記液体ポリマーリサイクルおよび供給システムとの間に設けられており、
前記溶媒供給ポンプが、前記溶媒供給流を用いて、溶媒を前記ワイヤクリーニングアセンブリへ供給し、
前記溶媒供給ポンプが、前記液体ポリマー希釈流を用いて、溶媒を前記液体ポリマーリサイクルおよび供給システムへ供給する、
ことを特徴とする装置。
【請求項８】
請求項７に記載の装置であって、前記溶媒貯蔵および供給システムが、前記ワイヤクリーニングアセンブリと前記溶媒貯蔵タンクとの間に設けられた溶媒再循環流を更に含み、前記溶媒再循環流が、重力流によって前記ワイヤクリーニングアセンブリから溶媒を受け入れ、溶媒を前記溶媒貯蔵タンクへ戻すことを特徴とする装置。
【請求項９】
請求項７または８に記載の装置であって、前記溶媒貯蔵タンクと前記液体ポリマー調製タンクとの間に設けられた溶媒補給流を更に含み、前記溶媒供給ポンプが、前記溶媒補給流を用いて、溶媒を前記液体ポリマー調製タンクへ供給することを特徴とする装置。
【請求項１０】
請求項７から９のいずれかに記載の装置であって、前記蒸気収集および溶媒回収システムが、前記ワイヤクリーニングアセンブリから溶媒蒸気を受け入れる、溶媒蒸気流を更に含むことを特徴とする装置。
【請求項１１】
請求項１０に記載の装置であって、前記蒸気収集および溶媒回収システムが、
前記溶媒蒸気流を用いて前記ワイヤクリーニングアセンブリから受け入れた溶媒蒸気をその中で凝縮する溶媒凝縮装置と、
溶媒凝縮液流と、
吸着床と、
を更に含み、
前記溶媒凝縮液流が、凝縮した溶媒を前記溶媒凝縮装置から受け入れ、それを前記溶媒貯蔵タンクへ戻し、
前記吸着床が、前記溶媒凝縮装置を通過後も凝縮されずに残っている溶媒蒸気を除去する、
ことを特徴とする装置。
【請求項１２】
請求項１から１１のいずれかに記載の装置であって、前記蒸気収集および溶媒回収システムが焼却炉を更に含み、前記焼却炉が、少なくとも１つの排気流からベントガスを受け入れ、除去することを特徴とする装置。
【請求項１３】
請求項１から１２のいずれかに記載の装置であって、担体コンベヤシステムと、ドラフトガス供給源およびドラフトガス分配マニホールドを含むドラフトガスシステムとを更に含み、
前記担体コンベヤシステムが、前記電界紡糸筐体の外に設けられており、前記担体を、前記電界紡糸筐体と、その中に設けられた前記電界紡糸ゾーンとを通って走行させ、
前記電界紡糸ゾーン内で、前記ナノスケールまたはサブミクロンスケールのポリマー繊維ウェブが前記担体上に集められ、
前記ドラフトガスシステムが、前記ドラフトガス分配マニホールドを用いて、前記電界紡糸ゾーン内の複数の前記連続電極ワイヤ上にドラフトガスを分配して、前記ナノスケールまたはサブミクロンスケールのポリマー繊維ウェブが前記担体上に集まることを促す、
ことを特徴とする装置。
【請求項１４】
請求項１３のいずれかに記載の装置であって、前記蒸気収集および溶媒回収システムが、ドラフトガスを前記ドラフトガスシステムへ供給する、熱ガス供給流を更に含むことを特徴とする装置。
【請求項１５】
請求項１から１４のいずれかに記載の装置であって、担体コンベヤシステムと乾燥ガスシステムとを更に含み、
前記担体コンベヤシステムが、前記電界紡糸筐体の外に設けられており、前記担体を、前記電界紡糸筐体と、その中に設けられた前記電界紡糸ゾーンとを通って走行させ、前記電界紡糸ゾーン内で、前記ナノスケールまたはサブミクロンスケールのポリマー繊維ウェブが前記担体上に集められ、
前記乾燥ガスシステムが、一次分配マニホールドを含む一次乾燥領域を含み、前記一次分配マニホールドが、一次乾燥ガスを、前記担体と、その上に集められた前記ナノスケールまたはサブミクロンスケールのポリマー繊維ウェブに分配して、その乾燥を促すことを特徴とする装置。
【請求項１６】
請求項１５に記載の装置であって、前記乾燥ガスシステムが、二次分配マニホールドを含む二次乾燥領域を更に含み、前記二次分配マニホールドが、二次乾燥ガスを、前記担体と、その上に形成されたポリマー繊維ウェブに分配して、その乾燥を促すことを特徴とする装置。
【請求項１７】
請求項１６に記載の装置であって、前記二次乾燥ガスが、前記一次乾燥ガスよりも相対的に低い溶媒蒸気含量と、相対的に高い温度を持つことを特徴とする装置。
【請求項１８】
請求項１から１７のいずれかに記載の装置であって、少なくとも１つの前記排気流が、蒸気とガスを前記電界紡糸筐体から前記蒸気収集および溶媒回収システムへ吸引するための、少なくとも１つの送風機を更に含むことを特徴とする装置。
【請求項１９】
請求項１から１８のいずれかに記載の装置であって、前記装置が、前記電界紡糸筐体の近傍に設けられた少なくとも１つの排出制御ボックスを更に含み、少なくとも１つの前記排出制御ボックスが、複数の前記連続電極ワイヤおよび前記担体の１つ以上が前記電界紡糸筐体に出入りするための開口部を含むことを特徴とする装置。
【請求項２０】
ナノスケールまたはサブミクロンスケールのポリマー繊維ウェブを担体上に連続ニードルレス電界紡糸する電界紡糸装置を作動させる方法であって、
前記電界紡糸装置が、
少なくとも１つの液体ポリマーコーティングデバイスおよび電界紡糸ゾーンを含む電界紡糸筐体と、
前記電界紡糸筐体の外に設けられたワイヤ駆動システムと、
を含み、
前記ワイヤ駆動システムが、複数の連続電極ワイヤを、前記電界紡糸筐体と、その中に設けられた少なくとも１つの前記液体ポリマーコーティングデバイスおよび前記電界紡糸ゾーンとを通って走行させ、
前記方法が、
液体ポリマー供給物を、前記電界紡糸筐体の外に設けられた液体ポリマーリサイクルおよび供給システムを備えている、少なくとも１つの液体ポリマーコーティングデバイスへ供給するステップと、
前記電界紡糸筐体内で発生した蒸気を、前記電界紡糸筐体の外に設けられた蒸気収集および溶媒回収システムで収集および処理するステップと、
を含み、
前記蒸気収集および溶媒回収システムが、前記電界紡糸筐体内の圧力を大気圧よりも低く保つことを特徴とする方法。
【発明の詳細な説明】
【技術分野】
【０００１】
本発明の開示内容は、液体ポリマーを、ナノスケールまたはサブミクロンスケールの繊維に電界紡糸する、より詳細には、従来のノズルまたはニードルを使用せずに、液体ポリマーをナノスケールまたはサブミクロンスケールの繊維に電界紡糸する装置および方法に関する。
【背景技術】
【０００２】
ナノスケールまたはサブミクロンスケールの繊維は、濾過、組織工学、防護衣料、複合材料、電池セパレータ、エネルギー貯蔵など様々な用途に有用である。このサイズの高品質な繊維の製造に使われる方法の１つが電界紡糸である。電界紡糸は比較的行い易いが、スループットが非常に低く、その結果、製造コストが非常に高い。このため、ナノスケールおよび／またはサブミクロンスケールの繊維を大量に電界紡糸することは費用効率が良くない。従って、高価値の用途以外では、ナノ繊維の電界紡糸は大部分が学術研究に含まれるものであった。
【０００３】
現在の噴射ノズル、ニードルジェット、およびスピニングジェット製造法での生産速度は、通常、ノズル／ジェット当たり毎時約０．０５グラム（ｇ／時間）から約０．１５ｇ／時間の範囲である。生産速度を上げるため、多くの方法が研究および／または使用されてきた。このような方法としては、ガスアシスト電界紡糸、マルチノズルシステムの使用、ノズルレス／ニードルレスシステムの使用、スピニングジェットの総数の増加が挙げられる。これらの方法にはそれぞれ問題があるが、最大持続生産速度は、（工業用の）装置当たり毎時約２キログラム（ｋｇ／時間）に過ぎない。ノズル／ニードルシステムに関する問題としては、噴射ノズル／ニードルオリフィスの目詰まり、ノズル配置を最適化することの難しさ、各ノズルを通る流量を均一に保つことの難しさが挙げられる。ノズルレス／ニードルレスシステムに関する問題としては、溶液タンクからの溶媒の蒸発を制御できないため、溶液の濃度と粘度が変動すること、電界紡糸要素の表面にポリマー層コーティングが堆積して、繊維紡糸速度が著しく低下してしまうことが挙げられる。
【０００４】
本開示内容の態様では、これらおよびその他の欠点に取り組む。
【発明の概要】
【課題を解決するための手段】
【０００５】
本開示内容の態様は、ナノスケールまたはサブミクロンスケールのポリマー繊維ウェブを担体上に連続ニードルレス電界紡糸する装置に関し、この装置は、
少なくとも１つの液体ポリマーコーティングデバイスおよび電界紡糸ゾーンを含む電界紡糸筐体と、
電界紡糸筐体の外に設けられたワイヤ駆動システムと、
電界紡糸筐体の外に設けられた、リサイクルおよび供給タンクを含む液体ポリマーリサイクルおよび供給システムと、
電界紡糸筐体の外に設けられた、電界紡糸筐体内で発生した蒸気を収集および処理するための、また、電界紡糸筐体内の圧力を大気圧よりも低く保つための、少なくとも１つの排気流を含む、蒸気収集および溶媒回収システムと、
を含み、
ワイヤ駆動システムは、複数の連続電極ワイヤを、電界紡糸筐体と、その中に設けられた少なくとも１つの液体ポリマーコーティングデバイスおよび電界紡糸ゾーンを通って走行させ、
リサイクルおよび供給タンクは、少なくとも１つの液体ポリマーコーティングデバイスへ液体ポリマーを供給し、また、そこからオーバーフローした液体ポリマーを受け入れる。
【０００６】
本開示内容の別の態様は、ナノスケールまたはサブミクロンスケールのポリマー繊維ウェブを担体上に連続ニードルレス電界紡糸する電界紡糸装置を作動させる方法に関し、
この電界紡糸装置は、
少なくとも１つの液体ポリマーコーティングデバイスおよび電界紡糸ゾーンを含む電界紡糸筐体と、
電界紡糸筐体の外に設けられたワイヤ駆動システムと、
を含み、
ワイヤ駆動システムは、複数の連続電極ワイヤを、電界紡糸筐体と、その中に設けられた少なくとも１つの液体ポリマーコーティングデバイスおよび電界紡糸ゾーンとを通って走行させ、
この方法は、
液体ポリマー供給物を、電界紡糸筐体の外に設けられた液体ポリマーリサイクルおよび供給システムを備えている、少なくとも１つの液体ポリマーコーティングデバイスへ供給するステップと、
電界紡糸筐体内で発生した蒸気を、電界紡糸筐体の外に設けられた蒸気収集および溶媒回収システムで収集および処理するステップと、
を含み、
蒸気収集および溶媒回収システムは、電界紡糸筐体内の圧力を大気圧よりも低く保つ。
【０００７】
図は必ずしも縮尺通りに描かれておらず、類似の数字は、異なる図中の同じ構成要素を示していることがある。異なる文字が末尾についた類似の数字は、同じ構成要素の別の例を表していることがある。図は、本明細書中で論じている様々な態様の例として一般的に描かれているものであり、限定しようとするものではない。
【図面の簡単な説明】
【０００８】
【図１】本開示内容の態様による、簡略化した電界紡糸装置を示す側面図である。
【図２】本開示内容の態様による、液体ポリマーの層を、複数の連続電極ワイヤ上に塗布するための、液体ポリマーコーティングデバイスを示す側面図である。
【図３】図２の線Ａ−Ａから見た部分を示す詳細な断面図である。
【図４Ａ】図２の線Ｂ−Ｂから見た部分を示す詳細な断面図である。
【図４Ｂ】本開示内容の態様による、電極ワイヤクリーニングアセンブリの例を示す側面図である。
【図５】電界紡糸筐体と、ワイヤ駆動システムと、ワイヤ緊張システムとを含む、複数の連続電極ワイヤの移動経路を示す略図の側面図である。
【図６】図５の線Ａ−Ａから見た部分を示す詳細な断面図である。
【図７】図６の線Ｂ−Ｂから見た部分を示す詳細な断面図である。
【図８】本開示内容の態様による、電界紡糸装置の補助システムを示す配線配管図である。
【図９】本開示内容の態様による、電界紡糸装置を示す詳細な配線配管図である。
【図１０】図９のセクションＡを示す、電界紡糸装置の部分的配線配管図である。
【図１１】図９のセクションＢを示す、電界紡糸装置の部分的配線配管図である。
【図１２】図９のセクションＣを示す、電界紡糸装置の部分的配線配管図である。
【図１３】本開示内容の態様による、液体ポリマー原料を、ナノスケールまたはサブミクロンスケールのポリマー繊維ウェブに連続ニードルレス電界紡糸する方法を示すブロック図である。
【図１４】本開示内容の態様による、複数の連続電極ワイヤを、電界紡糸装置を通って走行させる方法を示すブロック図である。
【図１５】本開示内容の態様による、電界紡糸筐体からナノスケールまたはサブミクロンスケールのポリマー繊維ウェブを収集する方法を示すブロック図である。
【図１６】担体上にナノスケールまたはサブミクロンスケールのポリマー繊維ウェブを連続ニードルレス電界紡糸する電界紡糸装置を作動させる方法を示すブロック図である。
【発明を実施するための形態】
【０００９】
以下の詳細な開示内容の記述とそれに含まれる実施形態を参照することで、本開示内容をより容易に理解できる。様々な態様において、本開示内容は、ポリマー繊維ウェブを担体上に電界紡糸し、それをローラ上に集めるための装置および方法に関する。文中に述べられている装置および方法は、現在利用でき、また知られている電界紡糸法に比べて、非常に高いスループットと生産強度−かつ、ずっと少ない資本投資と製造コスト−で、ナノスケールまたはサブミクロンスケールの繊維を生産することができる。
【００１０】
本発明の化合物（compounds）、組成物（compositions）、物品、システム、デバイス、および／または方法を開示および記述する上で、別途指定のない限り、当然のことながら、これらは、特定のポリマー材料、ポリマー材料の特定の状態（即ち、溶融物または溶液）、ポリマー溶液の調製に使用する溶媒の特定のタイプ、または特定の作動条件（例えば、溶液中のポリマーの質量％、ポリマー溶液中の添加物、温度、電圧、電界の距離など）、あるいは特定の装置の大きさおよびその構成材料（例えば、電極ワイヤの組成、連続電極ワイヤの数、電極ワイヤの長さ、平行な電極ワイヤ間の距離、１本の電極ワイヤ径路中のポリマーコーティングデバイスの数、２つの液体ポリマーコーティングデバイス間の距離など）に限定されず、これらのパラメータは変えることができる。更に、当然のことながら、文中で使用されている専門用語は詳細な態様を記述することを目的としているだけであり、限定しようとするものではない。
【００１１】
本件に開示されている要素の様々な組み合わせ、例えば、同じ独立クレームに基づく従属クレームの要素の組み合わせは、本開示内容に包含される。
【００１２】
更に、当然のことながら、別途明白に述べられていない限り、文中に述べられている任意の方法が、特定の順序でそのステップを行うことを要求していると解釈されることは全く意図していない。従って、ある方法の請求が、そのステップが従うべき順序を実際に列挙していない、あるいは、ステップが特定の順序に限られていることが、請求項または記述に、別途明確に述べられていない場合、どの点においても、順序が暗示されていることは決して意図していない。これは、ステップまたは操作の流れの配置に関する論理の問題、文法構成または句読法に由来する平易な意味、および、本明細書に述べられている態様の数または種類など、解釈のための、可能な、表現されない基本の全てについて適用される。
【００１３】
文中で言及されている全ての出版物は、方法および／または材料（それに関連して出版物が引用されている）を開示および記述するために参照することで、本件に含まれる。
【００１４】
＜電界紡糸装置＞
図１から１２を参照するならば、本開示内容の態様は、ポリマー繊維ウェブ１１０を担体１２０上に電界紡糸する装置１００に関する。装置１００の簡略化した配線配管図を図１に示す。この装置の特定の構成要素としては、電界紡糸筐体３００、少なくとも１つの液体ポリマーコーティングデバイス４００、ワイヤ駆動システム６００、ワイヤ緊張システム７００、導電性接地板８００、および高電圧を複数の連続電極ワイヤ１０００に印加する少なくとも１つの高電圧電源ユニット８２０が挙げられる。担体１２０は、担体供給ローラ２００から解かれ、電界紡糸筐体の中を通って走行する。複数の連続電極ワイヤ１０００は、移動する担体１２０の面と、通常は平行に、ワイヤ駆動システム６００およびワイヤ緊張システム７００により、電界紡糸筐体の中を通って走行する。複数の連続電極ワイヤ１０００と担体１２０の移動方向は、並走または逆走のいずれでも良い。複数の連続電極ワイヤ１０００は、少なくとも１つの液体ポリマーコーティングデバイス４００のそれぞれの中で液体ポリマーの層を被覆され、少なくとも１つの高電圧電源ユニット８２０で複数の連続電極ワイヤ１０００に印加された高電圧と、導電性接地板８００との間の電圧差により、多くの液体テイラーコーンジェット８４０が、複数の連続電極ワイヤ１０００の表面から噴出して担体１２０と接触し、担体１２０上にポリマー繊維ウェブ１１０が形成される。ポリマー繊維ウェブ１１０と担体１２０は電界紡糸筐体３００から出て、例えば、コンビネーションローラ２１０（図１に示すような）に巻き取って、あるいは、別の態様では、文中に述べられているように、担体１２０からポリマー繊維ウェブ１１０を分離し、別の繊維ウェブローラに巻き取って集められる。ワイヤクリーニングアセンブリ５００は、余分な液体ポリマーと、更に、固化したポリマーを、複数の連続電極ワイヤ１０００の表面から取り除く。装置１００の構成要素と働きについては以下で更に詳しく述べる。
【００１５】
電界紡糸筐体３００は、電界紡糸工程を内部で行い、作業環境へ放出される潜在的に有害な物質を少なくするために周囲を取り囲んでいる覆いである。電界紡糸筐体３００は（複数の連続電極ワイヤ１０００が電界紡糸筐体３００を通り抜けられるよう、最小限のサイズとした開口部と、担体１２０（および、その上に形成されたポリマー繊維ウェブ１１０）が電界紡糸筐体３００から出入りできるだけの狭い開口部を除いて）、ほぼ密閉されており、大気圧よりも低い圧力で作動する。電界紡糸工程で発生した蒸気は、電界紡糸筐体３００内部に含まれていて、その後、文中で更に詳しく述べられているような蒸気収集および溶媒回収システム１６００に集められる。一部の態様において、電界紡糸筐体３００は、電界紡糸筐体３００近傍の大気／空気が電界紡糸筐体３００内へ吸い込まれ、蒸気収集および溶媒回収システム１６００で収集されるよう、大気圧に比べて陰圧で作動し、これにより電界紡糸筐体３００内の潜在的に有害な蒸気が大気中へ逃げ出すことを防ぐ。複数の連続電極ワイヤ１０００は、使用する電極ワイヤの直径よりも僅かに大きい直径を持つ開口部を通って電界紡糸筐体３００へ入り、その後にそこから出るよう走行し、また、文中で更に述べられているように、電界紡糸されたポリマー繊維ウェブ１１０中の繊維のポリマー原料となる液体ポリマーの層で被覆される。
【００１６】
電界紡糸筐体３００は、少なくとも１つの液体ポリマーコーティングデバイス４００を含む。少なくとも１つの液体ポリマーコーティングデバイス４００は、複数の連続電極ワイヤ１０００に被覆する液体ポリマー原料を供給する。例示的な態様において、少なくとも１つの液体ポリマーコーティングデバイス４００は、液体ポリマーコーティングマニホールド４１０と液体ポリマーオーバーフローリザーバ４２０とを含む。
【００１７】
液体ポリマーコーティングマニホールド４１０は、複数のワイヤ引入れ開口部４３０と、ワイヤ引入れ開口部４３０の数に対応した複数のワイヤ引出し開口部４４０を含む。ワイヤ引入れ開口部４３０およびワイヤ引出し開口部は、一部の態様において、液体ポリマーコーティングマニホールド４１０の外側表面から少しの長さ“Ｌ”外に伸びた部分があっても良く、あるいは、長さＬはゼロでも良い（この場合、開口部の厚さは、液体ポリマーコーティングマニホールドの厚さに相当する）。開口部の直径と長さは、制御される液体ポリマーのオーバーフローの程度に応じて変えることができる。液体ポリマーは、液体ポリマーリサイクルおよび供給システム１２００により、液体ポリマー供給ポート４５０を通って、液体ポリマーコーティングマニホールド４１０へ供給される。液体ポリマーリサイクルおよび供給システム１２００については後で更に詳しく述べる。文中で更に詳しく説明するが、作動に関するいくつかの態様において、複数の連続電極ワイヤ１０００のそれぞれは、連続ループとなって、少なくとも１つの液体ポリマーコーティングデバイス４００の中へ入り、ワイヤ引入れ開口部４３０を通って液体ポリマーコーティングマニホールド４１０中に入り、そこで液体ポリマーの層を被覆される。次に、被覆されたそれぞれの連続ワイヤ１０００は、ワイヤ引入れ開口部４３０に対応する（それと一直線に並んだ）ワイヤ引出し開口部４４０を通って液体ポリマーコーティングマニホールド４１０から出て、また、液体ポリマーコーティングデバイス４００から出る。
【００１８】
液体ポリマーオーバーフローリザーバ４２０は、液体ポリマーコーティングマニホールド４１０から溢れた液体ポリマーと、液体ポリマーコーティングマニホールド４１０から出る複数の連続電極ワイヤ１０００から滴る液体ポリマーを受け入れる。液体ポリマーオーバーフローリザーバ４２０が一杯になると、液体ポリマー再循環ポート４５５は、リザーバ内に集まった液体ポリマーを、液体ポリマーリサイクルおよび供給システム１２００へ再循環させる。一部の態様において、液体ポリマー再循環ポート４５５は、重力流によって、液体ポリマーを液体ポリマーリサイクルおよび供給システム１２００へ再循環させる。
【００１９】
文中に述べられている液体ポリマーは、電界紡糸用途での使用に適したものであればどのようなポリマーであっても良く、純粋な溶融液体状態とした、あるいは、ポリマーを純粋溶媒または溶媒混合物に溶解して液状の溶液とした、天然由来および合成ポリマーが挙げられる。更に、液体ポリマーは、混ぜた合わせた１つ以上のポリマーを含むこともある。本開示内容の態様での使用に適した天然由来ポリマーの例としては、タンパク質、セルロース、リグニン、コラーゲン、ＤＮＡ、およびゴムが挙げられる（但し、これらに限定しない）。本開示内容の態様での使用に適した合成ポリマーの例としては、ポリアミド、ポリウレタン、ポリベンゾイミダゾール、ポリカルボナート、ポリアクリロニトリル、ポリビニルアルコール、ポリ乳酸、ポリエチレン−コ−酢酸ビニル、ポリメタクリラート、ポリエチレンオキシド、ポリアニリン、ポリスチレン、ポリビニルフェノール、ポリ塩化ビニル、ポリエーテルイミド、ポリアラミド、および合成ゴムが挙げられる（但し、これらに限定しない）。一部の態様において、１つ以上の異なる種類のポリマー原料から、異なる繊維層を備えた単一のポリマー繊維ウェブ１１０を作成しても良い。例えば、複数の液体ポリマーコーティングデバイス４００を含むシステムにおいて、ポリマー繊維ウェブ１１０が、担体１２０上で複数の層となった複数のポリマーを含むよう、それぞれの液体ポリマーコーティングデバイス４００に原料の異なる液体ポリマーを供給することができる。
【００２０】
ワイヤ駆動システム６００は、電界紡糸筐体３００を通って複数の連続電極ワイヤ１０００を移動させる。ある態様において、ワイヤ駆動システムは、複数の連続電極ワイヤ１０００を引っ張る、マスタワイヤ駆動ドラム６１０とスレーブワイヤ駆動ドラム６２０を含む。マスタワイヤ駆動ドラム６１０の駆動力は、可変周波数駆動装置（variable frequency drive：ＶＦＤ）など、電源ユニットから直に来るが、スレーブワイヤ駆動ドラム６２０の駆動力は、マスタワイヤ駆動ドラム６１０から来ている。マスタおよびスレーブワイヤ駆動ドラム配置の特に有利な点は、各連続電極ワイヤに伝えることのできる牽引力の量が、ワイヤとドラムの間で滑りまたは横滑りを起こさずに著しく大きくなることである。
【００２１】
マスタワイヤ駆動ドラム６１０はマスタギヤプレート６３０を含み、スレーブワイヤ駆動ドラム６２０は、マスタワイヤ駆動ドラム６１０が回転するとスレーブワイヤ駆動ドラム６２０が逆方向に回転するようにマスタギヤプレート６３０と連結している、スレーブギヤプレート６４０を含む。マスタワイヤ駆動ドラム６１０は、マスタワイヤ駆動ドラム６１０を回転させるモータ駆動軸６５０に連結している。一部の態様では、変速モータがマスタワイヤ駆動ドラム６１０を駆動する。マスタワイヤ駆動ドラム６１０の速度は、一部の態様において、毎分約１メートル（ｍ／分）から約２００ｍ／分の速度で複数の連続電極ワイヤ１０００を駆動するように変えることができる。ある態様では、固定速モータで、マスタワイヤ駆動ドラム６１０を駆動することがある。
【００２２】
スレーブワイヤ駆動ドラム６２０は、マスタワイヤ駆動ドラム６１０の回転に応じてスレーブワイヤ駆動ドラム６２０を自由に回転させることのできる、自由回転軸６６０に連結している。別の態様において、スレーブワイヤ駆動ドラム６２０は、本文中に述べられているような連結したギヤプレート（６３０、６４０）ではなく、チェーンによって、マスタワイヤ駆動ドラム６１０で駆動しても良い。
【００２３】
図６に示すように、マスタワイヤ駆動ドラムおよびスレーブワイヤ駆動ドラムはそれぞれ、複数の連続電極ワイヤ１０００を離すための複数のワイヤガイド６７０を含んでいる。複数のワイヤガイドのそれぞれは、複数の電極ワイヤ１０００の１本を導くための、導管（channel）または溝を含む。図５に示すように（１本のワイヤのみ）、連続電極ワイヤ１０００は、マスタワイヤ駆動ドラム６１０とスレーブワイヤ駆動ドラム６２０で牽引される。連続電極ワイヤ１０００は、これらのワイヤドラム上にそれぞれあるワイヤガイド６７０で導くことができる。連続電極ワイヤは、スレーブワイヤ駆動ドラム６２０からワイヤ緊張システム７００を通る輪になっていても良い。
【００２４】
ワイヤ緊張システム７００は、複数の連続電極ワイヤ１０００に必要量の張力を与える。ある態様において、ワイヤ緊張システムは、複数の連続電極ワイヤ１０００のそれぞれに独立して張力を与える。これは、連続電極ワイヤに独立して張力を与える、独立したワイヤテンショナ７１０で、それぞれの連続電極ワイヤ１０００を導くことで達成できるだろう。図５は、１本のワイヤの例についてであり、１つのワイヤテンショナ７１０を示している。一部の態様において、それぞれの連続電極ワイヤ１０００が、それぞれのワイヤテンショナ７１０を持つことがあると分かるだろう。従って、２５０本のワイヤを含む装置は、２５０の個々のテンショナを含むことになる。ある態様において、個々のテンショナは、限られた設置スペースの問題に対処するため、グループに分けて異なる場所に設置することがある。例えば、連続電極ワイヤを互いに僅かな距離離す（例えば、５ミリメートル（ｍｍ）離す、１０ｍｍ離す、１５ｍｍ離す、または２０ｍｍ離す）ことが望ましい場合、例えば２５０の個々のテンショナを一列に設置することは難しいと考えられる。従って、ある態様では、連続電極ワイヤを５つのグループに分け、グループ１が、ワイヤ１、６、１１、１６、 … および２４６のためのテンショナを含み、グループ２が、ワイヤ２、７、１２、１７、 … および２４７のためのテンショナを含み、グループ３が、ワイヤ３、８、１３、１８、 … および２４８のためのテンショナを含み、グループ４が、ワイヤ４、９、１４、１９、 … および２４９のためのテンショナを含み、グループ５が、ワイヤ５、１０、１５、２０、 … および２５０のためのテンショナを含むようにしても良い。このようにすると、各ワイヤのテンショナ間の距離を２５ｍｍまで大きくすることができる。
【００２５】
複数の連続電極ワイヤ１０００は、編組線、撚線、ピアノ線、引き抜き線（drawn）など、適当であればどのような種類のワイヤであっても良い（但し、これらに限定しない）。より多くの液体ポリマーをワイヤ表面に被覆できるよう、比較的表面積が大きく、また電界紡糸に使用できるワイヤを選ぶことが望ましいが、面積の大きいワイヤは、残留する未反応ポリマーを保持する表面も多くなり、汚染／クリーニングの懸念が生じることがある。
【００２６】
文中に述べられている装置１００および関連要素（ワイヤ駆動システム６００と、個別のワイヤテンショナ７１０を備えたワイヤ緊張システム７００と、複数のワイヤ引入れ開口部４３０とそれに対応するワイヤ引出し開口部４４０とを備えた液体ポリマーコーティングマニホールド４１０を含む、少なくとも１つの液体ポリマーコーティングデバイス４００を含む電界紡糸筐体３００と、を含む（但し、これらに限定しない））は、電界紡糸筐体３００を通って、数ダースまたは数百もの連続電極ワイヤ１０００を走行させることができ、そこでワイヤは液体ポリマーで被覆されて、電界紡糸工程で使用することができる。更に、これらの複数の（数ダース／数百の）連続電極ワイヤ１０００は、電界紡糸筐体３００を通って無限ループで連続的に循環するため、ポリマー繊維ウェブ１１０を作る電界紡糸工程を、現在知られている電界紡糸工程よりもずっと大きい（数桁大きい）生産量で行うことができる。
【００２７】
本装置は、電界紡糸工程に必要な電界強度を発生する、少なくとも１つの高電圧電源ユニット８２０を含む。少なくとも１つの高電圧電源ユニット８２０はそれぞれ、負電源と正電源を備えている。一般に、負電源は、電界紡糸筐体３００の内部、担体１２０の第１の側８１０の近くに設けられた導電性接地板８００に有線接続し、一方、正電源は、複数の連続電極ワイヤ１０００と接している、少なくとも１つの導電性の自由回転車軸８５０に有線接続しており、これは、図１および１０に示すように、担体１２０の第２の側８３０の近くに設けられている。一部の態様において、少なくとも１つの導電性自由回転車軸８５０は、その表面に均一に広がっている複数の溝（例えば、Ｖ字型の溝）を含む。それぞれの溝は、１本の連続電極ワイヤ１０００を受けている。少なくとも１つの高電圧電源ユニット８２０からの正電圧がそれぞれの電極ワイヤ１０００に伝わるよう、対応するワイヤテンショナ７１０を調整して、溝と電極ワイヤとの良好な接触を保つ。作動中、導電性自由回転車軸８５０は、電極ワイヤ１０００の動きに従って自由に回転する。一部の態様において、少なくとも１つの高電圧電源ユニット８２０の正および負の電源は、導電性接地板８００と連続電極ワイヤ１０００との間で切り替えることができる。このような態様では、負電圧電界紡糸工程が意図される。
【００２８】
少なくとも１つの高電圧電源ユニット８２０（図１で、電界紡糸筐体３００の外に示されている）は、導電性接地板８００と複数の連続電極ワイヤ１０００との間に電圧差を印加する。作動中、電界紡糸筐体３００の電界紡糸ゾーンＺ内の導電性接地板８００を通過する、液体ポリマーで覆われた連続電極ワイヤ１０００に正電圧を印加すると電界が生じ、これにより、連続電極ワイヤ１０００上の液体ポリマーが荷電して、連続電極ワイヤ１０００の表面から導電性接地板８００の負電源へ向けて、荷電した液体テイラーコーンジェット８４０が噴出する。液体テイラーコーンジェット８４０は伸びて、飛行中に部分的に乾燥し、ナノメートルスケールまたはサブミクロンスケールの直径を持つポリマー繊維を形成する。この繊維は、担体１２０と接触してその上に集まり、また、電界紡糸筐体３００を通って、複数の連続電極ワイヤ１０００と、一般に平行に、同じ向きまたは逆方向へ移動する。このプロセスを、導電性接地板８００の長さ（これを、電界紡糸ゾーンＺと呼ぶことができる）に亘って繰り返すと、担体１２０上にポリマー繊維ウェブ１１０が形成される。文中において、ポリマー繊維はナノメートルスケールの直径またはサブミクロンスケールの直径を持つと述べられており、これらの繊維は一般にナノ繊維またはサブミクロン繊維と呼ばれるが、文中に述べられている装置および方法で製造される繊維は、ナノ繊維の大きさまたはサブミクロンの大きさである必要はなく、別の大きさの繊維が形成されるよう、プロセス条件を変えても良いことは認められるだろう。
【００２９】
図１では、少なくとも１つの高電圧電源ユニット８２０を電界紡糸筐体３００の外に示したが、そうである必要はない。必要ならば、これを電界紡糸筐体３００の中に設けても良い。
【００３０】
特に図３を参照するならば、ある態様において、１つ以上のワイヤ引入れ開口部４３０とワイヤ引出し開口部４４０は、ワイヤ引入れ開口部４３０／ワイヤ引出し開口部４４０と、そのそれぞれの連続電極ワイヤ１０００の間に置かれた毛細管４６０を含む。図に示すように、毛細管４６０は、液体ポリマーコーティングマニホールド４１０から長さＬに亘って外側へ伸びていても良く、それを通る連続電極ワイヤ１０００の直径よりも僅かに大きく、小さな間隙４７０が生じる大きさの内径を持つサイズとすることができる。毛細管４６０の内径は、連続電極ワイヤ１０００が最少の摩擦で液体ポリマーコーティングマニホールド４１０を通過するには十分大きいが、液体ポリマーコーティングマニホールド４１０から液体ポリマーが過剰に失われるのを防ぐには十分小さいサイズとする。更に、毛細管の長さＬは、毛細管４６０から失われる液体ポリマーがより少なくなるよう、液体ポリマーコーティングマニホールド内に液体の背圧を生じる。毛細管４６０（および、そのそれぞれのワイヤ引入れ開口部／ワイヤ引出し開口部）から出た液体ポリマーは、文中に述べられているように、液体ポリマーオーバーフローリザーバ４２０へ流れ出る。
【００３１】
一部の態様において、液体ポリマーコーティングデバイス４００は、液体ポリマーオーバーフローポート４８０を更に含むことができる。液体ポリマーオーバーフローポート４８０は、文中に述べられている液体ポリマーオーバーフローリザーバ４２０へオーバーフローする、液体ポリマーの別の供給源となることができる。一部の態様において、液体ポリマーオーバーフローポート４８０は、液体ポリマーコーティングデバイス４００内の液体ポリマーが動き続けて、比較的一定した温度を持つよう、一定のオーバーフロー量となるように設定することができる。
【００３２】
ある態様において、液体ポリマーコーティングデバイス４００は、少なくとも１組のワイヤ位置決めプーリ４９０を含むことができる。少なくとも１組のワイヤ位置決めプーリ４９０は、図２に示すように、複数のワイヤ引入れ開口部４３０の近くに設けることができ、複数の連続電極ワイヤ１０００を、液体ポリマーコーティングマニホールド４１０の複数のワイヤ引入れ開口部４３０へ導くよう機能することができる。
【００３３】
装置１００は、ある態様において、ワイヤクリーニングアセンブリ５００を含むことができる。ワイヤクリーニングアセンブリ５００は、複数の連続電極ワイヤ１０００の表面から、残留している液体ポリマーや他の電界紡糸残分を除くために含むことができる。ワイヤクリーニングアセンブリ５００は、文中に述べられている液体ポリマーコーティングデバイス４００と同じ機構を含むことができる（必ずしも含む必要はないが）。図４Ｂにワイヤクリーニングアセンブリ５００の例を示すが、これは、連続電極ワイヤ１０００の数に対応する、多数の溶媒マニホールドワイヤ引入れ開口部５３０と溶媒マニホールドワイヤ引出し開口部５４０を含む溶媒コーティングマニホールド５１０を含んでいる。溶媒コーティングマニホールド５１０は、更に、溶媒マニホールドワイヤ引入れ開口部５３０と溶媒マニホールドワイヤ引出し開口部５４０から溢れた溶媒を受ける、溶媒オーバーフローリザーバ５２０を含むことができる。新たな溶媒を（溶媒コーティングマニホールド５１０が含まれているならば、溶媒供給流１４２０に繋がっている溶媒コーティングポート５５０を用いて）、ワイヤクリーニングアセンブリ５００に供給することができる。溶媒オーバーフローリザーバ５２０に集められた余分な溶媒は、溶媒再循環流１４３０に繋がっている溶媒再循環ポート５５５を用いて、溶媒貯蔵および供給システム１４００に戻すことができる。このように、溶媒コーティングマニホールド５１０は、液体ポリマーコーティングマニホールド４１０と同じように作動するが、連続電極ワイヤ１０００から残留液体ポリマーや他の電界紡糸残分を除くため、複数の連続電極ワイヤ１０００へ溶媒溶液を供給することができる。溶媒は、液体ポリマー（例えば、ポリマー溶液）の調製に使用したものと同じ種類、または任意の別の適当な溶媒のいずれであっても良い。一部の態様において、溶媒再循環ポート５５５は、重力流によって溶媒を溶媒貯蔵および供給システム１４００へ再循環させる。
【００３４】
ワイヤクリーニングアセンブリ５００は、図５に示すように電界紡糸筐体３００の中に、あるいは、電界紡糸筐体３００の外に（図示せず）に設けることができるが、いずれの場合も、ワイヤクリーニングアセンブリ５００は、一般に、電界紡糸ゾーンＺの後ろまたは下流に設けられることは理解されるだろう。文中で用いられている“上流”とその対義語の“下流”は、本装置を作動させる際の、複数の連続電極ワイヤ１０００の移動方向に対する、ある構成要素と他のものとの位置に関する。一部の態様において、連続電極ワイヤ１０００がワイヤクリーニングアセンブリ５００から出て、電界紡糸筐体３００から出る前に、ワイヤ表面に保持されている溶媒を溶媒乾燥ステップで蒸発させて、連続電極ワイヤ１０００が潜在的に有害な溶媒を環境へ持ち出すのを防ぐことができる。
【００３５】
一部の態様において、装置１００は、導電性抵抗測定システム５６０を更に含む。抵抗測定システムは、上流の接点５８０（即ち、液体ポリマーをコーティングする前）と、下流の接点５９０（即ち、電界紡糸ゾーンＺおよび／またはワイヤクリーニングアセンブリ５００の後）の両方で、複数の連続電極ワイヤ１０００の１本以上の抵抗を測定するよう構成されたオーム計５７０などのデバイスを含む。測定された抵抗は、電界紡糸筐体３００から出る、複数の連続電極ワイヤ１０００の１本以上が、その対応する表面に固体ポリマーを含んでいて、ワイヤスクラバ１９００や他のクリーニングシステムなど、より厳しいクリーニング方法を用いて更に清掃する必要があるかどうかを示すことができる。特定の態様において、抵抗測定システムは、特定の時間間隔で（例えば、５ミリ秒（ｍｓ）毎に）、上流接点５８０と下流接点５９０で、複数の連続電極ワイヤ１０００のそれぞれを測定するよう構成されている。
【００３６】
図８を参照するならば、また先に説明したように、本装置は、液体ポリマーリサイクルおよび供給システム１２００を含むことができる。液体ポリマーリサイクルおよび供給システム１２００は、液体ポリマーコーティングデバイス４００のそれぞれに備えられている液体ポリマーコーティングマニホールド４１０の液体ポリマー供給ポート４５０を用いて、少なくとも１つの液体ポリマーコーティングデバイス４００のそれぞれに液体ポリマーを供給する。更に、液体ポリマーリサイクルおよび供給システム１２００は、少なくとも１つの液体ポリマーコーティングデバイス４００に備えられている液体ポリマー再循環ポート４５５を用いて、少なくとも１つの液体ポリマーコーティングデバイス４００のそれぞれから受けた、液体ポリマーオーバーフローを受け入れる。液体ポリマーリサイクルおよび供給システム１２００は、少なくとも１つの液体ポリマーコーティングデバイス４００のそれぞれからリサイクルされた液体ポリマーを受け入れ、液体ポリマー供給物をそこへ送り込むためのリサイクルおよび供給タンク１２１０と、液体ポリマーを、少なくとも１つの液体ポリマーコーティングデバイス４００のそれぞれへポンプで送る（例えば、液体ポリマー分配マニホールド（図示せず）を通して）液体ポリマー循環および供給ポンプ１２２０と、望ましい液体ポリマー温度を保つように作動する液体ポリマー熱交換器１２３０とを含む。注目すべきは、図８の配線配管図に、様々なポンプ（“Ｍ”）、流量計（“Ｆ”）、バルブ（“Ｖ”）、成分分析器／送信器（“ＣＡ”）、および熱交換器／冷却器（“ＨＣ”）が描かれていることで、その適切な選択および操作は当業者に知られており、ここでは詳しく述べない。
【００３７】
液体ポリマーリサイクルおよび供給システム１２００は、液体ポリマー補給流１３０５を用いて、液体ポリマー調製システム１３００から液体ポリマーを受け入れる。液体ポリマーリサイクルおよび供給システム１２００は、電界紡糸工程で使用される液体ポリマーを、必要な濃度と温度で供給するよう作動する。液体ポリマー調製システム１３００は、液体ポリマー調製タンク１３１０を含み、これは、一部の態様において、撹拌器とポリマー貯蔵および補給ユニット１３２０を含んでいる。一部の態様において、液体ポリマー調製システム１３００は、バッチ処理で稼働し、この処理は、（ａ）液体ポリマー調製タンク１３１０に、溶媒貯蔵および供給システム１４００から、溶媒補給流１３５０を用いて、所定の量の溶媒を受け入れるステップと、（ｂ）液体ポリマー調製タンク１３１０に、所定の量のポリマーを、ポリマー貯蔵および補給ユニット１３２０から受け入れるステップと、（ｃ）液体ポリマー調製タンク内で、固体のポリマーが完全に溶媒に溶けるまで、溶媒とポリマーを所定の温度に加熱して混合するステップと、（ｄ）調製したポリマー溶液バッチをリサイクルおよび供給タンク１２１０へ移送するステップと、を含む。一部の態様において、液体ポリマー調製タンクは、液体ポリマーの調製を促すための撹拌および加熱機構を含んでいても良い。図８に示すように、液体ポリマー調製システムは、更に、ある態様において、液体ポリマー調製タンク１３１０内の液体ポリマーを、ポリマー調製熱交換器１３４０を通って循環させ、また、バッチの終わりに、液体ポリマー補給流１３０５を用いて、液体ポリマーをポリマー調製タンク１３１０からリサイクルおよび供給タンク１２１０へ移送する、液体ポリマー調製移送ポンプ１３３０を含むことができる。
【００３８】
ある態様において、本装置１００は、溶媒貯蔵および供給システム１４００も含むことができる。溶媒貯蔵および供給システム１４００は、溶媒を貯蔵し、液体ポリマー調製システム１３００とワイヤクリーニングアセンブリ５００へ溶媒を供給するよう作動する。一部の態様において、溶媒貯蔵および供給システムのための溶媒の一次供給源は、後でより詳しく説明するように、蒸気収集および溶媒回収システム１６００で回収された溶媒である。このような態様において、ワイヤクリーニングアセンブリ５００の稼働や、別の溶媒の処理の間に失われた溶媒を釣り合わせるため、新たな補充溶媒を別の供給源（図示せず）から加えることがある。溶媒貯蔵および供給システム１４００は溶媒貯蔵タンク１４１０を含む。溶媒貯蔵タンク１４１０は、溶媒供給流１４２０を用いて、ワイヤクリーニングアセンブリ５００へ溶媒を供給し、溶媒再循環流１４３０を用いて、ワイヤクリーニングアセンブリからオーバーフローした溶媒を受け入れる。更に、液体ポリマーリサイクルおよび供給システム１２００内の液体ポリマーの濃度を希釈する必要があるならば、液体ポリマー希釈流１４４０を用いて、溶媒を液体ポリマーリサイクルおよび供給システム１２００へ供給することができる。溶媒供給ポンプ１４５０は、溶媒を、ワイヤクリーニングアセンブリ５００、液体ポリマーリサイクルおよび供給システム１２００、および液体ポリマー調製システム１３００へ送る。
【００３９】
更に別の態様において、本装置１００は、蒸気収集および溶媒回収システム１６００を含み、これは、一部の態様において、いくつものサブシステムを含み、その操作と機能については後でより詳細に述べる。
【００４０】
一部の態様において、蒸気収集および溶媒回収システム１６００は、電界紡糸筐体３００近傍の大気／空気を電界紡糸筐体３００内に吸い込み、電界紡糸筐体３００内の潜在的に有害な蒸気が大気中に逃げるのを防ぐために、電界紡糸筐体３００を必要な程度に減圧する。ある態様では、図８に示すように、蒸気収集および溶媒回収システムは、蒸気とガスを電界紡糸筐体３００から蒸気収集および溶媒回収システム１６００へ引き込むための、５つの送風機（送風機＃１ １５０５、送風機＃２ １５１０、送風機＃３ １５１５、送風機＃４ １５２０、および送風機＃５ １５２５）を含む。送風機＃１ １５０５は、複数の連続電極ワイヤ１０００が電界紡糸筐体３００を出入りする開口部（排出制御ボックス１８００Ａ）、担体１２０が電界紡糸筐体３００に入る開口部（排出制御ボックス１８００Ｂ）、担体１２０が電界紡糸筐体３００から出る開口部（排出制御ボックス１８００Ｃ）など、様々な入口（周囲空気入口＃１ １６１０Ａ、＃２  １６１０Ｂ、および＃３  １６１０Ｃ）で、電界紡糸筐体３００内へ周囲の空気を吸い込む。周囲の空気と少量のポリマーおよび溶媒は（排出制御ボックス排気流１６０５Ａ、１６０５Ｂ、および１６０５Ｃを経て）送風機＃１ １５０５を通って吸引され、集められて、最終的には焼却炉１６２０内で処理され、有害な残留蒸気を除去する。排出制御ボックス排気流は、一部の態様において、既知の機械的取り付け法によって排出制御ボックスに取り付けられ、または連結していても良い。一部の態様において、送風機＃１ １５０５は、約−２”水柱ゲージ（water column gauge：ＷＣＧ）から約−１０”ＷＣＧの真空度で、排出制御ボックス１８００Ａ、１８００Ｂ、および１８００Ｃを作動させる。
【００４１】
焼却炉１６２０からの排出物は、大気中へ放出することができる。ある態様において、送風機＃３ １５１５は、発生した溶媒蒸気とドラフトガス（使用されているならば）を、比較的低温で、溶媒蒸気を多く含んでいる溶媒蒸気流１６３０を用いて収集する。一方、送風機＃２ １５１０は、繊維の乾燥で生じた蒸気と、繊維の乾燥に用いた熱乾燥ガスを、比較的高温で蒸気濃度の低い熱ガス排気流１６０５Ｄを用いて収集する。送風機＃２ １５１０からの蒸気／ガスは熱交換器＃１ １５４０を通り、送風機＃５ １５２５による、溶媒凝縮装置１６４０からのベントガス流と熱交換する。熱交換器＃１の後、送風機＃２ １５１０から出た流れ（温度が低下している）は、送風機＃３ １５１５から出た溶媒蒸気流１６３０と合流する。この合流した蒸気／ガス流は、ベンチュリミキサ１５６５および溶媒凝縮装置１６４０に入る。ベンチュリミキサ１５６５は、蒸気／ガス温度を、溶媒凝縮装置１６４０内の溶媒液体の運転温度付近まで更に冷やすために、蒸気／ガス流と、ポンプ＃１ １５３５からの冷たい液体循環流とを混合する。その結果、蒸気／ガス流中の溶媒蒸気の大半は凝縮されて液体となる。蒸気の凝縮により放出された熱は、ベンチュリミキサに入ってくる冷たい溶媒液体循環流によって吸収され、その後、この熱は、冷却水や冷水など（但し、これらに限定しない）の冷媒を用いて、熱交換器＃２ １５４５で除かれる。ベンチュリミキサ１５６５の作動の間に凝縮されなかった溶媒蒸気は、溶媒凝縮装置１６４０から出たベントガスが熱交換器＃５ １５６０を通る際に更に凝縮されると考えられる。溶媒凝縮装置１６４０内で回収された液体溶媒は、溶媒凝縮液流１６５０を用いて溶媒貯蔵および供給システム１４００へ戻される。一部の態様において、戻す速度は、溶媒凝縮装置１６４０内の液面で制御することができる。
【００４２】
熱交換器＃５ １５６０の後、ベントガスは、ガス中の蒸気含量がより低くなる。ベントガス流を２つの流れに、一方を送風機＃５ １５２５へ、もう一方を送風機＃４ １５２０へ分けることができる。送風機＃５ １５２５から出たベントガスを更に２つの流れに、一方を焼却炉１６２０へ、もう一方を熱交換器＃１ １５４０へ分けることができる。焼却炉１６２０へのベント流の流量は、必要なガス抜き量に基づいて調節でき、その量は、溶媒蒸気流１６３０および熱ガス供給流１６７０中で測定した酸素濃度の、規定値からの逸脱に基づいて計算することができる。一部の態様において、既定値は、溶媒蒸気が発火する可能性を持つ酸素濃度より、公称で２０〜３０％低い。逸脱が大きくなると、より多くのベント流ガスが焼却炉１６２０へ排出され、逆もまた同じである。送風機＃５ １５２５からの別のベント流の温度は、熱交換器＃２ １５４５を通過後に上昇する。この加熱されたベントガスは、電界紡糸筐体３００へ戻り、電界紡糸工程のドラフトガスとして再使用される。送風機＃４ １５２０へのベント流を、更に２つの別々な流れに、一方を熱交換器＃３ １５５０に、もう一方を吸着床１６６０に分ける。熱交換器＃３ １５５０から出たベント流の温度を既定値まで、一部の態様において、電界紡糸筐体３００内で繊維ウェブの乾燥に用いる一次乾燥ガスの温度まで上昇させる。
【００４３】
文中に述べられている装置１００の態様は、大気圧よりも低い圧力で作動する電界紡糸筐体が、毒性および／または可燃性蒸気が大気／作業環境中に逃げ出すのを防ぐため、毒性または可燃性ポリマーの電界紡糸が可能となることで、少なくとも現在の電界紡糸法を超える付加的利点を提示する。これらの蒸気は、文中で論じられているように、収集され、安全に処理される。より詳細には、一部の態様において、電界紡糸筐体３００は、筐体内の酸素含量を測定および／または監視するための、１つ以上の酸素センサを含む。検出された酸素含量が、既定の低値よりも高ければ、電界紡糸筐体３００内部の酸素含量が既定の低値よりも下がるまで、送風機＃５ １５２５からより多くのベントガスを焼却炉１６２０へ送り、新たな不活性ガス（窒素など、但しこれに限定しない）を、電界紡糸筐体３００へ加えることができる。更に別の態様において、検出された酸素含量が、既定の高値よりも高くなったら、安全機能として、高電圧電源ユニット８２０を自動的に停止することがある。安全機能としては、例えば、高電圧電源ユニット８２０の接点を、接地系に切り替える、および／または、大量の新たな窒素を電界紡糸筐体３００に加えることが挙げられる。このようにして、これらの機構は、電界紡糸筐体内の酸素濃度を既定の低値から既定の高値までの範囲内に制御することができ、この値は、一部の態様では、発火源を用いてガス／蒸気混合物が発火する酸素濃度よりも、およそ３０％低い濃度である。
【００４４】
図８に示すように、吸着床１６６０は、一部の態様において、電界紡糸筐体３００内で繊維ウェブの乾燥に使用する二次乾燥ガスとして適当な所定の低濃度まで、送風機＃４ １５２０からの残留溶媒蒸気を除去する、活性炭吸着床である。二次乾燥ガスの所要温度は、吸着床１６６０からのガス流を熱交換器＃４ １５５５に通すことで達成できる。この加熱したガス（非常に低い溶媒蒸気含量）は電界紡糸筐体３００へ送られ、乾燥ガス源として使用される。電界紡糸筐体３００は、その中の圧力を監視する１つ以上の圧力センサを含むことができる。先に述べたように、電界紡糸筐体内の作動圧力は、大気圧よりも低い圧力に保たれ、これは、熱交換器１５５５の前に、必要量の新たな補給ガスをガス流へ送ることで制御する。例えば、電界紡糸筐体３００内で測定した圧力が既定値よりも低ければ、より多くの新たな補給ガスをシステム内へ加えると考えられ、またその逆の場合も考えられる。一方、電界紡糸筐体３００内で測定された圧力が既定値よりも高い場合（新たな補給ガスの流量をゼロにしても）、送風機＃５ １５２５から焼却炉１６２０へのベントガス量をそれに対応して増加させることができる。このようにして、電界紡糸筐体内の作動圧力を、既定の低値から既定の高値までの範囲内に制御することができる。
【００４５】
図９〜１２は、図１で概略的に示した装置１００の、詳細な配線配管図を示している。装置全体を図９に示し、これを次の３つのセクションに分ける。セクションＡを図１０に示し、セクションＢを図１１に示し、セクションＣを図１２に示す。ある態様において、装置１００は、先に述べた１つ以上の構成要素の他に、別の機構を含んでいても良い。
【００４６】
図８に示した熱ガス供給流１６７０を含むドラフトガス供給源１７１０（図１１に示す）と、ドラフトガス分配マニホールド１７２０とを含む、ドラフトガス供給システムを用いて、電界紡糸筐体３００内の複数の連続電極ワイヤ１０００上に、ドラフトガスを吹き付けることができる。ドラフトガス分配マニホールド１７２０は、一連の通気孔、ノズル、または他の適当な開口部を通して、複数の連続電極ワイヤ１０００にドラフトガスを分配することができる。ドラフトガス供給システムは、複数の連続電極ワイヤ１０００の表面から噴出する液体テイラーコーンジェット８４０に上向きの力を与え、液体テイラーコーンジェット８４０から形成されるポリマー繊維を担体１２０の表面に到達し易くする。一部の態様では、ドラフトガスの温度（熱交換器＃１ １５４０を通る）および流量（熱交換器＃１ １５４０の上側の制御バルブを通る）の一方または両方を、望ましいパフォーマンスとなるよう調節しても良い。ドラフトガスは、文中に述べられている送風機＃３ １５１５（図８に示す）により、排出マニホールド１６８０を用いて除去することができる。
【００４７】
担体１２０上に形成されたポリマー繊維ウェブ１１０は、形成されたときには完全に乾いておらず、残留溶媒を含んでいることがある。本開示内容の一部の態様では、２つの乾燥ステップ、一次乾燥ステップと二次乾燥ステップを用いてポリマー繊維ウェブ１１０を乾燥することができる。それぞれの乾燥ステップで、熱ガスを乾燥媒体として使用する。熱交換器＃３ １５５０から出る熱ガスを一次乾燥ステップでの乾燥媒体（一次乾燥ガス）として使用する一方、熱交換器＃４ １５５５から出る熱ガスを二次乾燥ステップでの乾燥媒体（二次乾燥ガス）として使用する。二次乾燥ガスは一次乾燥ガスよりも相対的に溶媒蒸気含有量が低く、温度が高い。
【００４８】
一次乾燥ガスは、一次分配マニホールド１６９０Ａ（図１１参照）を通って一次乾燥領域へ入り、一方、二次乾燥ガスは、二次分配マニホールド１６９０Ｂ（図１０）を通って二次乾燥領域へ入る。一次乾燥ガスおよび二次乾燥ガスの両者は、図８に示すように、送風機＃２ １５１０により、熱ガス排気流１６０５Ｄを通って電界紡糸筐体３００から出る。一次および二次分配マニホールド（１６９０Ａおよび１６９０Ｂ）は、一連の通気孔、ノズル、または他の適当な開口部を通して、熱ガスを担体１２０／ポリマー繊維ウェブ１１０へ分配することができる。一部の態様において、一次乾燥ガスの温度と流量を、熱交換器＃３ １５５０とそれに繋がる制御バルブで調節および制御しても良い。同様に、二次乾燥ガスの温度と流量を、熱交換器＃４ １５５５とそれに繋がる制御バルブで調節および制御しても良い。
【００４９】
文中に述べられているように、装置１００は、電界紡糸筐体３００を通って担体を移動させるための、担体コンベヤシステム１５０を含む。一部の態様において、担体１２０と、その上に形成されたポリマー繊維ウェブ１１０は、電界紡糸筐体３００を出て、コンビネーションローラ２１０（図１に示すような）に巻き取って集めることができる。しかし、図１０に示す別の態様では、ポリマー繊維ウェブ１１０を担体１２０から剥がして繊維ウェブローラ２２０に巻き取り、担体を別の担体仕上げローラ２３０に巻き取ることができる。更に別の態様（図示せず）では、担体が連続担体で、ポリマー繊維ウェブが担体から除かれて繊維ウェブローラに巻き取られるにつれ、担体が装置１００へ連続的に循環して戻るものでも良い（多くは同じ方法で、複数の連続電極ワイヤ１０００が連続的に作動する）。
【００５０】
担体１２０は、望ましくは、軽量で、かつ、一次分配マニホールド１６９０Ａおよび二次分配マニホールド１６９０Ｂからの熱ガスがその中を通ってポリマー繊維ウェブ１１０を乾燥できるような、多孔性／透過性材料である。しかし、装置１００／電界紡糸筐体３００を通って、裂けずに移動するために十分な強度を備えていなければならない。更に、担体１２０は、文中に述べられているローラに巻き取ることができ、電界紡糸工程の間に形成されるポリマー繊維を受け取るのに適しているものであればどのような材料であっても良い。担体１２０は、担体１２０が電界紡糸筐体３００から出る際に担体１２０に張力を与える、担体テンショナ１３０を含むことができる。担体１２０が担体供給ローラ２００から解かれる際、その進行方向を変えるために、担体リダイレクションローラ１３５を設けることがある。
【００５１】
一部の態様において、装置１００は、複数の連続電極ワイヤ１０００が、電界紡糸筐体３００に入る前および出た後に通り抜ける、排出制御ボックス１８００Ａを含むことができる。排出制御ボックス１８００Ａは、装置１００の作動の間、電界紡糸筐体３００内に入り込む電界紡糸筐体３００近傍の大気／空気が最少となるよう最適化した、複数の連続電極ワイヤ１０００のための間隙を含む。
【００５２】
更に別の態様において、装置１００は、ワイヤスクラバ１９００を含むことができる。ワイヤスクラバ１９００は、何箇所かの適当な位置（複数の連続電極ワイヤ１０００が電界紡糸筐体に入る場所に近い位置（図１２参照）など）で、複数の連続電極ワイヤ１０００と接触することができ、また、複数の連続電極ワイヤ１０００の表面を清掃する追加の機構となることができる。ある態様において、ワイヤスクラバは、電界紡糸筐体の外に設けられている。ある態様において、ワイヤスクラバは、サンドペーパーなどの研磨材である。ワイヤスクラバ１９００は複数の連続電極ワイヤ１０００と物理的に接触し、ワイヤ表面に残っている堆積および／または被覆ポリマーを擦り落とし、その結果、電極ワイヤの効率を高める。その他のワイヤスクラビング材料や、他の研磨材が知られており、ワイヤスクラバ１９００で使用されることがある。
【００５３】
図に示すように、装置１００は、複数の連続電極ワイヤ１０００、担体１２０、およびポリマー繊維ウェブ１１０の１つ以上の移動方向を維持および／または変更するための、多数のプーリＰを含むことができる。
【００５４】
文中に述べられている装置１００の態様は、更に、数ダースまたは数百もの連続電極ワイヤを使って、数百ｋｇ／時間以上の大規模な工業生産を可能とすることで、従来の電界紡糸工程を超える、多くの利点を提示する。一部の態様において、本装置は、２５を超える連続電極ワイヤ、５０を超える連続電極ワイヤ、１００を超える連続電極ワイヤ、１５０を超える連続電極ワイヤ、２００を超える連続電極ワイヤ、３００を超える連続電極ワイヤ、または４００を超える連続電極ワイヤ、あるいは、最大５００まで、または５００以上もの連続電極ワイヤを含むことがある。更に、複数の連続電極ワイヤは、極めて長い長さを持つことができる。本開示内容の、ある態様では、バッチシステムを用いて作動する従来のシステムでは達成できない、連続ポリマー繊維生産速度で、５メートルから５０ｍ以上もの長さの連続電極ワイヤを使用することがある。
【００５５】
＜液体ポリマー原料をナノスケールまたはサブミクロンスケールのポリマー繊維ウェブに連続ニードルレス電界紡糸する方法＞
更に、本開示内容は、液体ポリマー原料をナノスケールまたはサブミクロンスケールのポリマー繊維ウェブに連続ニードルレス電界紡糸する方法に関する。この方法は、文中に述べられている装置１００の構成要素を含んでおり、その記述と働きについてここで重ねて述べることはせず、これらが本方法に含まれることを言及する際には、これらの構成要素の参照番号を使用するものとする。図１３を参照するならば、ある態様において、方法２０００は、２１００において、電界紡糸筐体の外に設けられたワイヤ駆動システムを用いて、複数の連続電極ワイヤを、少なくとも１つの液体ポリマーコーティングデバイスおよび電界紡糸ゾーンを含む電界紡糸筐体を通って走行させるステップを含む。ステップ２２００は、電界紡糸筐体の外に設けられた担体コンベヤシステムを用いて、担体を、複数の連続電極ワイヤとほぼ平行に、電界紡糸筐体および電界紡糸ゾーンを通って走行させるステップを含む。ステップ２３００では、少なくとも１つの液体ポリマーコーティングデバイス内で、液体ポリマーの層を複数の連続電極ワイヤの表面に被覆する。ステップ２４００では、複数の連続電極ワイヤの表面に被覆した液体ポリマーから、電界紡糸ゾーン内で、ナノスケールまたはサブミクロンスケールのポリマー繊維が生成される。ステップ２５００は、ナノスケールまたはサブミクロンスケールのポリマー繊維を、ポリマー繊維ウェブとして担体上に集めるステップを含む。ステップ２６００では、電界紡糸アセンブリ内に設けられたワイヤクリーニングアセンブリを用いて、複数の連続電極ワイヤの表面から残留ポリマーを除去する。
【００５６】
別の態様が、文中に述べられている方法２０００に含まれていても良く（但し、そうでなければならないという訳ではない）、この方法は、抵抗測定システム５６０を用いて、複数の連続電極ワイヤの１本以上の抵抗を測定するステップと、液体ポリマーリサイクルおよび供給システム１２００を用いて、液体ポリマーをリサイクルし、また、液体ポリマー供給物を供給するステップと、液体ポリマー調製システム１３００を用いて液体ポリマーを調製するステップと、溶媒貯蔵および供給システム１４００を用いて溶媒を貯蔵および供給するステップと、蒸気収集および溶媒回収システム１６００を用いて、蒸気を収集、洗浄（scrubbing）、および／または、清浄化するステップと、ドラフトガスを複数の連続電極ワイヤに吹き付け、および／または、乾燥ガス／熱ガスを、前述の担体／ポリマー繊維ウェブ上に吹き付けるステップと、電界紡糸筐体を通って担体を移動させるため、担体コンベヤシステム１５０を使用し、また、担体およびポリマー繊維ウェブを（それぞれに、または一緒に）ローラに巻き取るステップと、排出制御ボックス１８００Ａ、Ｂ、Ｃを使用して、電界紡糸筐体内へ入り込む空気を最少とするステップと、ワイヤスクラバ１９００を用いて、複数の連続電極ワイヤを擦る（scrubbing）ステップと、を含む（但し、これらに限定しない）。
【００５７】
＜複数の連続電極ワイヤを、電界紡糸装置を通って走行させる方法＞
本開示内容は更に、複数の連続電極ワイヤを、電界紡糸装置を通って走行させる方法に関する。この方法は、文中に述べられている装置１００の構成要素を含んでおり、その記述と働きについてここで重ねて述べることはせず、これらが本方法に含まれることを言及する際には、これらの構成要素の参照番号を使用するものとする。電界紡糸装置１００は、電界紡糸筐体３００を含み、その中では、複数の連続電極ワイヤ１０００上に被覆した液体ポリマー層から、ナノスケールまたはサブミクロンスケールのポリマー繊維ウェブ１１０が担体１２０上に形成される。図１４を参照するならば、一部の態様において、方法３０００は、３１００で、複数の連続電極ワイヤを、マスタワイヤ駆動ドラムおよびスレーブワイヤ駆動ドラムの上に配置するステップを含む。それぞれのマスタワイヤ駆動ドラムおよびスレーブワイヤ駆動ドラムは、複数のワイヤガイドを含み、それぞれのワイヤガイドは、複数の連続電極ワイヤの１本を受けるための通路または溝を含む。ステップ３２００では、マスタワイヤ駆動ドラムを回転させて、複数の連続電極ワイヤを、電界紡糸筐体を通って走行させる。マスタワイヤ駆動ドラムおよびスレーブワイヤ駆動ドラムは、電界紡糸装置の外にある。
【００５８】
文中に述べられているこれらのシステムおよび構成要素を作動させる方法を含む（但し、これに限定しない）別の態様が、方法３０００に含まれていても良い（但し、そうでなければならないという訳ではない）。
【００５９】
＜電界紡糸筐体からナノスケールまたはサブミクロンスケールのポリマー繊維を収集する方法＞
本開示内容は更に、電界紡糸筐体からナノスケールまたはサブミクロンスケールのポリマー繊維ウェブを収集する方法に関する。この方法は、文中に述べられている装置１００の構成要素を含んでおり、その記述と働きについてここで重ねて述べることはせず、これらが本方法に含まれていることを言及する際には、これらの構成要素の参照番号を使用するものとする。電界紡糸装置１００は、電界紡糸筐体３００および電界紡糸ゾーンＺを含み、その中で、複数の連続電極ワイヤ１０００に被覆した液体ポリマー層から、ナノスケールまたはサブミクロンスケールのポリマー繊維ウェブ１１０が担体１２０上に形成される。図１５を参照するならば、一部の態様において、方法４０００は、４１００で、供給ローラから担体を解くステップを含む。ステップ４２００において、担体テンショナで担体に張力を加える。４３００で、担体を、液体ポリマー層を被覆した複数の連続電極ワイヤとほぼ平行に、電界紡糸筐体および電界紡糸ゾーンを通って走行させる。ステップ４４００では、電界紡糸ゾーン内で、複数の連続電極ワイヤに被覆した液体ポリマー層から、ナノスケールまたはサブミクロンスケールのポリマー繊維が電界紡糸される。ステップ４５００では、ナノスケールまたはサブミクロンスケールのポリマー繊維を、ポリマー繊維ウェブとして担体上に集める。ステップ４６００では、ポリマー繊維ウェブと担体を電界紡糸筐体の外へ出す。
【００６０】
文中に述べられているこれらのシステムおよび構成要素を作動させる方法を含む（但し、これに限定しない）別の態様が、方法４０００に含まれていても良い（但し、そうでなければならないという訳ではない）。
【００６１】
＜ナノスケールまたはサブミクロンスケールのポリマー繊維ウェブを担体上に連続ニードルレス電界紡糸する電界紡糸装置を作動させる方法＞
本開示内容は更に、ナノスケールまたはサブミクロンスケールのポリマー繊維ウェブを担体上に連続ニードルレス電界紡糸する電界紡糸装置を作動させる方法に関する。この方法は、文中に述べられている装置１００の構成要素を含んでおり、その記述と働きについてここで重ねて述べることはせず、これらが本方法に含まれていることを言及する際には、これらの構成要素の参照番号を使用するものとする。電界紡糸装置１００は、少なくとも１つの液体ポリマーコーティングデバイス４００および電界紡糸ゾーンＺを含む電界紡糸筐体３００と、電界紡糸筐体３００の外に設けられたワイヤ駆動システム６００を含む。ワイヤ駆動システム６００は、電界紡糸筐体３００と、その中に設けられた少なくとも１つの液体ポリマーコーティングデバイス４００および電界紡糸ゾーンＺとを通って、複数の連続電極ワイヤ１０００を走行させる。図１６を参照するならば、一部の態様において、本方法５０００は、５１００において、電界紡糸筐体の外に設けられた液体ポリマーリサイクルおよび供給システムを備えている、少なくとも１つの液体ポリマーコーティングデバイスへ、液体ポリマー供給物を供給するステップを含む。ステップ５２００において、電界紡糸筐体内で発生した蒸気を、電界紡糸筐体の外に設けられた蒸気収集および溶媒回収システムで収集および処理する。蒸気収集および溶媒回収システムは、電界紡糸筐体内の圧力を大気圧よりも低く保つ。
【００６２】
文中に述べられているこれらのシステムおよび構成要素を作動させる方法を含む（但し、これに限定しない）別の態様が、方法５０００に含まれていても良い（但し、そうでなければならないという訳ではない）。
【００６３】
本件に開示されている要素の様々な組み合わせ、例えば、同じ独立クレームに基づいている従属クレームの要素の組み合わせは本開示内容に包含される。
【００６４】
様々な態様において、本開示内容は少なくとも以下の実施形態に関連し、また、これらを含む。
【００６５】
実施形態１：ナノスケールまたはサブミクロンスケールのポリマー繊維ウェブを担体上に連続ニードルレス電界紡糸する装置であって、
この装置は、
少なくとも１つの液体ポリマーコーティングデバイスおよび電界紡糸ゾーンを含む電界紡糸筐体と、
電界紡糸筐体の外に設けられたワイヤ駆動システムと、
電界紡糸筐体の外に設けられた、リサイクルおよび供給タンクを含む液体ポリマーリサイクルおよび供給システムと、
電界紡糸筐体の外に設けられた、電界紡糸筐体内で発生した蒸気を収集および処理するための、また、電界紡糸筐体内の圧力を大気圧よりも低く保つための、少なくとも１つの排気流を含む、蒸気収集および溶媒回収システムと、
を含み、
ワイヤ駆動システムは、複数の連続電極ワイヤを、電界紡糸筐体と、その中に設けられた少なくとも１つの液体ポリマーコーティングデバイスおよび電界紡糸ゾーンとを通って走行させ、
リサイクルおよび供給タンクは、少なくとも１つの液体ポリマーコーティングデバイスへ液体ポリマーを供給し、また、少なくとも１つの液体ポリマーコーティングデバイスからオーバーフローした液体ポリマーを受け入れる。
【００６６】
実施形態２：実施形態１に記載の装置であって、液体ポリマーリサイクルおよび供給システムは、液体ポリマーを少なくとも１つの液体ポリマーコーティングデバイスへ送る液体ポリマー循環および供給ポンプと、液体ポリマーを所望の温度に保つ液体ポリマー熱交換器とを更に含む。
【００６７】
実施形態３：実施形態１または２に記載の装置であって、少なくとも１つの液体ポリマーコーティングデバイスは、液体ポリマー供給ポートと液体ポリマー再循環ポートとを含み、液体ポリマー供給ポートは、液体ポリマーリサイクルおよび供給システムから液体ポリマーを受け入れ、液体ポリマー再循環ポートは、重力流によって液体ポリマーを液体ポリマーリサイクルおよび供給システムへ戻す。
【００６８】
実施形態４：実施形態１から３のいずれかに記載の装置であって、液体ポリマー調製システムを更に含み、液体ポリマー調製システムは、ポリマー貯蔵および補給ユニットと液体ポリマー調製タンクとを含み、
ポリマー貯蔵および補給ユニットは、本装置で使用するバルクポリマーを貯蔵し、
液体ポリマー調製タンクは、ポリマー貯蔵および補給ユニットからバルクポリマーを、溶媒供給源から溶媒を受け入れ、その中で装置のための液体ポリマーを調製する。
【００６９】
実施形態５：実施形態４に記載の装置であって、液体ポリマー調製タンクとリサイクルおよび供給タンクとの間に設けられた、液体ポリマー調製タンク内で調製した液体ポリマーを液体ポリマーリサイクルおよび供給システムへ供給するための液体ポリマー補給流を更に含む。
【００７０】
実施形態６：実施形態１から５のいずれかに記載の装置であって、電界紡糸筐体内に設けられたワイヤクリーニングアセンブリと、電界紡糸筐体の外に設けられた溶媒貯蔵および供給システムとを更に含み、
溶媒貯蔵および供給システムは、溶媒をワイヤクリーニングアセンブリへ供給し、
ワイヤ駆動システムは、複数の連続電極ワイヤを、ワイヤクリーニングアセンブリを通って走行させて、それから残留ポリマーを清掃する。
【００７１】
実施形態７：実施形態６に記載の装置であって、溶媒貯蔵および供給システムは、溶媒貯蔵タンクと、溶媒供給ポンプと、溶媒供給流と、液体ポリマー希釈流とを含み、
溶媒貯蔵タンクは、本装置のための溶媒を貯蔵し、
溶媒供給流は、溶媒貯蔵タンクとワイヤクリーニングアセンブリとの間に設けられており、
液体ポリマー希釈流は、溶媒貯蔵タンクと液体ポリマーリサイクルおよび供給システムとの間に設けられており、
溶媒供給ポンプは、溶媒供給流を用いて、溶媒をワイヤクリーニングアセンブリへ供給し、
溶媒供給ポンプは、液体ポリマー希釈流を用いて、溶媒を液体ポリマーリサイクルおよび供給システムへ供給する。
【００７２】
実施形態８：実施形態７の装置であって、溶媒貯蔵および供給システムは、ワイヤクリーニングアセンブリと溶媒貯蔵タンクとの間に設けられた溶媒再循環流を更に含み、溶媒再循環流は、重力流によってワイヤクリーニングアセンブリから溶媒を受け入れ、溶媒を溶媒貯蔵タンクへ戻す。
【００７３】
実施形態９：実施形態７または８に記載の装置であって、溶媒貯蔵タンクと液体ポリマー調製タンクとの間に設けられた溶媒補給流を更に含み、溶媒供給ポンプは、溶媒補給流を用いて、溶媒を液体ポリマー調製タンクへ供給する。
【００７４】
実施形態１０：実施形態７から９のいずれかに記載の装置であって、蒸気収集および溶媒回収システムは、ワイヤクリーニングアセンブリから溶媒蒸気を受け入れる、溶媒蒸気流を更に含む。
【００７５】
実施形態１１：実施形態１０に記載の装置であって、蒸気収集および溶媒回収システムは、
溶媒蒸気流を用いてワイヤクリーニングアセンブリから受け入れた溶媒蒸気をその中で凝縮する溶媒凝縮装置と、
溶媒凝縮液流と、
吸着床と、
を更に含み、
溶媒凝縮液流は、凝縮した溶媒を溶媒凝縮装置から受け入れ、それを溶媒貯蔵タンクへ戻し、
吸着床は、溶媒凝縮装置を通過後も凝縮されずに残っている溶媒蒸気を除去する。
【００７６】
実施形態１２：実施形態１から１１のいずれかに記載の装置であって、蒸気収集および溶媒回収システムは焼却炉を更に含み、焼却炉は、少なくとも１つの排気流からベントガスを受け入れ、除去する。
【００７７】
実施形態１３：実施形態１から１２のいずれかに記載の装置であって、担体コンベヤシステムと、ドラフトガス供給源およびドラフトガス分配マニホールドを含むドラフトガスシステムとを更に含み、
担体コンベヤシステムは、電界紡糸筐体の外に設けられており、担体を、電界紡糸筐体と、その中に設けられた電界紡糸ゾーンとを通って走行させ、
電界紡糸ゾーン内で、ナノスケールまたはサブミクロンスケールのポリマー繊維ウェブは担体上に集められ、
ドラフトガスシステムは、ドラフトガス分配マニホールドを用いて、電界紡糸ゾーン内の複数の連続電極ワイヤ上にドラフトガスを分配して、ナノスケールまたはサブミクロンスケールのポリマー繊維ウェブが担体上に集まることを促す。
【００７８】
実施形態１４：実施形態１３に記載の装置であって、蒸気収集および溶媒回収システムは、ドラフトガスをドラフトガスシステムへ供給する、熱ガス供給流を更に含む。
【００７９】
実施形態１５：実施形態１から１４のいずれかに記載の装置であって、担体コンベヤシステムと乾燥ガスシステムとを更に含み、
担体コンベヤシステムは、電界紡糸筐体の外に設けられており、担体を、電界紡糸筐体と、その中に設けられた電界紡糸ゾーンとを通って走行させ、電界紡糸ゾーン内で、ナノスケールまたはサブミクロンスケールのポリマー繊維ウェブは担体上に集められ、
乾燥ガスシステムは、一次分配マニホールドを含む一次乾燥領域を含み、一次分配マニホールドは、一次乾燥ガスを、担体と、その上に集められたナノスケールまたはサブミクロンスケールのポリマー繊維ウェブに分配して、その乾燥を促す。
【００８０】
実施形態１６：実施形態１５に記載の装置であって、乾燥ガスシステムは、二次分配マニホールドを含む二次乾燥領域を更に含み、二次分配マニホールドは、二次乾燥ガスを、担体と、その上に形成されたポリマー繊維ウェブに分配して、その乾燥を促す。
【００８１】
実施形態１７：実施形態１６に記載の装置であって、二次乾燥ガスは、一次乾燥ガスよりも相対的に低い溶媒蒸気含量と、相対的に高い温度を持つ。
【００８２】
実施形態１８：実施形態１から１７のいずれかに記載の装置であって、少なくとも１つの排気流は、蒸気とガスを電界紡糸筐体から蒸気収集および溶媒回収システムへ吸引するための、少なくとも１つの送風機を更に含む。
【００８３】
実施形態１９：実施形態１から１８のいずれかに記載の装置であって、この装置は、電界紡糸筐体の近傍に設けられた少なくとも１つの排出制御ボックスを更に含み、少なくとも１つの排出制御ボックスは、複数の連続電極ワイヤおよび担体の１つ以上が電界紡糸筐体に出入りするための開口部を含む。
【００８４】
実施形態２０：実施形態１９に記載の装置であって、少なくとも１つの排気流は、少なくとも１つの排出制御ボックスに接続し、少なくとも１つの排出制御ボックスから蒸気を集める。
【００８５】
実施形態２１：実施形態１から２０のいずれかに記載の装置であって、電界紡糸筐体は、その中に設けられた少なくとも１つの酸素センサを更に含み、蒸気収集および溶媒回収システムは焼却炉を更に含み、
焼却炉は、少なくとも１つの排気流からベントガスを受け入れ、これを除去し、
酸素センサは、電界紡糸筐体内の酸素含量を監視し、酸素センサからのフィードバックに応じて、焼却炉へのベントガスの流量を制御する。
【００８６】
実施形態２２：実施形態１から２１のいずれかに記載の装置であって、電界紡糸筐体内に設けられた少なくとも１つの圧力センサを更に含み、少なくとも１つの圧力センサは、電界紡糸筐体内の運転圧力を監視し、少なくとも１つの圧力センサからのフィードバックに応じて、電界紡糸筐体への補給ガスの流量を制御する。
【００８７】
実施形態２３：ナノスケールまたはサブミクロンスケールのポリマー繊維ウェブを担体上に連続ニードルレス電界紡糸する電界紡糸装置を作動させる方法であって、
この電界紡糸装置は、
少なくとも１つの液体ポリマーコーティングデバイスおよび電界紡糸ゾーンを含む電界紡糸筐体と、
電界紡糸筐体の外に設けられたワイヤ駆動システムと、
を含み、
ワイヤ駆動システムは、複数の連続電極ワイヤを、電界紡糸筐体と、その中に設けられた少なくとも１つの液体ポリマーコーティングデバイスおよび電界紡糸ゾーンとを通って走行させ、
この方法は、
液体ポリマー供給物を、電界紡糸筐体の外に設けられた液体ポリマーリサイクルおよび供給システムを備えている、少なくとも１つの液体ポリマーコーティングデバイスへ供給するステップと、
電界紡糸筐体内で発生した蒸気を、電界紡糸筐体の外に設けられた蒸気収集および溶媒回収システムで収集および処理するステップと、
を含み、
蒸気収集および溶媒回収システムは、電界紡糸筐体内の圧力を大気圧よりも低く保つ。
【００８８】
実施形態２４：実施形態２３に記載の方法であって、液体ポリマーリサイクルおよび供給システム内のリサイクルおよび供給タンクを用いて、液体ポリマーを、少なくとも１つの液体ポリマーコーティングデバイスへ供給するステップと、少なくとも１つの液体ポリマーコーティングデバイスからオーバーフローした液体ポリマーを受け入れるステップとを更に含む。
【００８９】
実施形態２５：実施形態２３または２４に記載の方法であって、液体ポリマーを調製するステップと、調製した液体ポリマーを液体ポリマー調製タンク内に貯蔵するステップと、調製した液体ポリマーを、液体ポリマー補給流を用いて液体ポリマーリサイクルおよび供給システムへ補給するステップとを更に含む。
【００９０】
実施形態２６：実施形態２３から２５のいずれかに記載の方法であって、複数の連続電極ワイヤを、電界紡糸筐体内に設けられたワイヤクリーニングアセンブリを通って走行させて、複数の連続電極ワイヤから残留ポリマーを清掃するステップを更に含み、このとき、ワイヤクリーニングアセンブリは溶媒を含む。
【００９１】
実施形態２７：実施形態２６に記載の方法であって、溶媒を、溶媒貯蔵および供給システムからワイヤクリーニングアセンブリへ供給するステップを更に含み、このとき、溶媒をワイヤクリーニングアセンブリへ供給するステップは、溶媒を、溶媒供給流を用いて溶媒貯蔵タンクからワイヤクリーニングアセンブリへ供給するステップと、オーバーフロー溶媒を、溶媒再循環流を用いてワイヤクリーニングアセンブリから溶媒貯蔵タンクへ受け入れるステップとを含む。
【００９２】
実施形態２８：実施形態２７に記載の方法であって、溶媒再循環流は、オーバーフロー溶媒を重力流によって溶媒貯蔵タンクへ供給する。
【００９３】
実施形態２９：実施形態２６から２８のいずれかに記載の方法であって、ワイヤクリーニングアセンブリから溶媒蒸気を収集するステップと、溶媒蒸気の少なくとも一部を溶媒凝縮装置内で凝縮するステップと、溶媒蒸気の少なくとも一部を吸着床内で除去するステップとを更に含む。
【００９４】
実施形態３０：実施形態２３から２９のいずれかに記載の方法であって、
電界紡糸ゾーン内で、ドラフトガスを複数の連続電極ワイヤに当てて、ナノスケールまたはサブミクロンスケールのポリマー繊維ウェブが担体上に連続ニードルレス電界紡糸することを促すステップ、
乾燥ガスをナノスケールまたはサブミクロンスケールのポリマー繊維ウェブと担体に当てて、その乾燥を促すステップ、
電界紡糸筐体内の酸素含量を監視し、酸素含量からのフィードバックに応じて、焼却炉へのベントガスの流量を制御するステップ、および、
電界紡糸筐体内の運転圧力を監視し、運転圧力からのフィードバックに応じて、電界紡糸筐体への補給ガスの流量を制御するステップ、
の１つ以上を更に含む。
【００９５】
これらの非制限的な実施形態はそれぞれ、それ自体で自立可能であるが、１つ以上の他の実施形態と様々な順列または組み合わせで組み合わせることもできる。
【００９６】
先の発明を実施するための形態は添付図への言及を含み、これも詳細な記述の一部を成す。図面は説明のためであり、本開示内容を実行できる具体的な態様を示している。これらの態様は、文中において“実施形態”としても言及されている。このような実施形態は、表示または記述されている要素以外の要素も含むことができる。しかし、本発明の発明者は、表示または記述されている要素だけを備えた実施形態も意図している。更に、発明者は、文中に表示または記述されている特定の実施形態（またはその１つ以上の態様）に関して、あるいは、別の実施形態（またはその１つ以上の態様）に関して、表示または記述されているこれらの要素の任意の組み合わせまたは順列を用いた実施形態（またはその１つ以上の態様）も意図している。
【００９７】
本明細書と、引用して援用する任意の文書との間に矛盾した用法があった場合、本文書での用法に従うものとする。
【００９８】
本文書において、用語“a”または“an”は、特許文献で共通しているように、“少なくとも１つ”または“１つ以上”という任意の他の例または用法とは無関係に、１つまたは１つより多い、を含むために用いられる。本文書において、用語“または（or）”は、別途指示のない限り、“ＡまたはＢ”が、“ＡであるがＢではない”、“ＢであるがＡではない”、および“ＡおよびＢ”を含むよう、非排他的な or を指すために用いられる。本文書において、用語“含む（including）”および“その中で（in which）”は、それぞれの用語“含む（comprising）”および“このとき（wherein）”に等しい平易な英語として用いられる。更に、後の請求項において、用語“含む（including）”および“含む（comprising）”はオープンエンドであり、つまり、請求項において、システム、デバイス、物品、組成物、構築物（formulation）、またはプロセスなどの用語の後に挙げられている要素以外の要素を含む、システム、デバイス、物品、組成物、構築物、またはプロセスも、その請求項の範囲に入るものとする。更に、後の請求項において、用語“第１”、“第２”、および“第３”などは標識として用いるだけであり、その対象に数的な要件を課そうとするものではない。
【００９９】
文中に述べられている方法の例は、少なくとも一部を機械またはコンピュータで実現可能である。いくつかの例は、電子デバイスが、上記の実施形態に述べられている方法を実行するよう機能する命令をエンコードした、コンピュータ可読媒体または機械可読媒体を含むことができる。このような方法の実行には、マイクロコード、アセンブリ言語コード、より高次の言語コードなどのコードを含むことができる。このようなコードは、様々な方法を実行するコンピュータ可読命令を含むことができる。コードは、いくつかに分かれたコンピュータプログラム製品の形であっても良い。更に、ある例では、コードは、実行時、または他の時間などに、１つ以上の揮発性、非一時的、または不揮発性の有形コンピュータ可読媒体に実体として保存することができる。これらの有形コンピュータ可読媒体の例としては、ハードディスク、リムーバブル磁気ディスク、リムーバブル光ディスク（例えば、コンパクトディスクおよびデジタルビデオディスク）、磁気カセットテープ、メモリカードまたはスティック、ランダムアクセスメモリ（ＲＡＭ）、読み出し専用メモリ（ＲＯＭ）などが挙げられる（但し、これらに限定しない）。
【０１００】
これまでの記述は説明のためであって、制限しようとするものではない。例えば、上記の実施形態（またはその１つ以上の態様）は、互いに組み合わせて用いることができる。これまでの記述を見直すことで当業者に気付かれるような、その他の態様も使用可能である。技術的開示内容の本質を読者がより速く確認できるよう、３７Ｃ．Ｆ．Ｒ．§１．７２（ｂ）に従って要約を提示する。これは、請求項の範囲または意図を解釈または制限するために使用されるものではないという理解のもとに提示されている。更に、先の発明を実施するための形態では、開示内容を簡素化するため、様々な特徴をひとまとめにしていることがある。これは、請求項に示されない開示された特徴が任意の請求項に必須であることを意図していると解釈すべきではない。むしろ、発明の主題が、特定の開示された態様の全ての特徴を含んでいないこともある。従って、後の請求項はこれにより、例または態様として発明を実施するための形態に含まれ、それぞれの請求項は個々の態様として自立しており、このような態様は、様々な組み合わせまたは順列で互いに組み合わせ可能であることが意図されている。本開示内容の範囲は、添付の請求項、並びに、これらの請求項が権利を与えられている同等物の全ての範囲に準拠して決定されるべきである。
【図１】
2020504248.tif 000003
【図２】
2020504248.tif 000004
【図３】
2020504248.tif 000005
【図４Ａ】
2020504248.tif 000006
【図４Ｂ】
2020504248.tif 000007
【図５】
2020504248.tif 000008
【図６】
2020504248.tif 000009
【図７】
2020504248.tif 000010
【図８】
2020504248.tif 000011
【図９】
2020504248.tif 000012
【図１０】
2020504248.tif 000013
【図１１】
2020504248.tif 000014
【図１２】
2020504248.tif 000015
【図１３】
2020504248.tif 000016
【図１４】
2020504248.tif 000017
【図１５】
2020504248.tif 000018
【図１６】
2020504248.tif 000019
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
ナノスケールまたはサブミクロンスケールのポリマー繊維ウェブ（１１０）を担体（１２０）上に連続ニードルレス電界紡糸する装置であって、
前記装置が、
少なくとも１つの液体ポリマーコーティングデバイス（４００）および電界紡糸ゾーン（Ｚ）を含む電界紡糸筐体（３００）と、
前記電界紡糸筐体（３００）の外に設けられたワイヤ駆動システム（６００）と、
前記電界紡糸筐体（３００）の外に設けられた、リサイクルおよび供給タンク（１２１０）を含む液体ポリマーリサイクルおよび供給システム（１２００）と、
前記電界紡糸筐体（３００）の外に設けられた、前記電界紡糸筐体（３００）内で発生した蒸気を収集および処理するための、また、前記電界紡糸筐体（３００）内の圧力を大気圧よりも低く保つための、少なくとも１つの排気流（１６０５Ａ，１６０５Ｂ，１６０５Ｃ，１６５０Ｄ）を含む、蒸気収集および溶媒回収システム（１６００）と、
を含み、
前記ワイヤ駆動システム（６００）が、複数の連続電極ワイヤを、前記電界紡糸筐体（３００）と、その中に設けられた少なくとも１つの前記液体ポリマーコーティングデバイス（４００）および前記電界紡糸ゾーン（Ｚ）とを通って走行させ、
前記リサイクルおよび供給タンク（１２１０）が、少なくとも１つの前記液体ポリマーコーティングデバイス（４００）へ液体ポリマーを供給し、また、少なくとも１つの前記液体ポリマーコーティングデバイス（４００）からオーバーフローした液体ポリマーを受け入れる、
ことを特徴とする装置。
【請求項２】
請求項１に記載の装置であって、前記液体ポリマーリサイクルおよび供給システム（１２００）が、液体ポリマーを少なくとも１つの前記液体ポリマーコーティングデバイス（４００）へ送る液体ポリマー循環および供給ポンプ（１２２０）と、液体ポリマーを所望の温度に保つ液体ポリマー熱交換器（１２３０）とを更に含むことを特徴とする装置。
【請求項３】
請求項１または２に記載の装置であって、少なくとも１つの前記液体ポリマーコーティングデバイス（４００）が、液体ポリマー供給ポート（４５０）と液体ポリマー再循環ポート（４５５）とを含み、前記液体ポリマー供給ポート（４５０）が、前記液体ポリマーリサイクルおよび供給システム（１２００）から液体ポリマーを受け入れ、前記液体ポリマー再循環ポート（４５５）が、重力流によって液体ポリマーを前記液体ポリマーリサイクルおよび供給システム（１２００）へ戻すことを特徴とする装置。
【請求項４】
請求項１から３のいずれかに記載の装置であって、液体ポリマー調製システム（１３００）を更に含み、前記液体ポリマー調製システム（１３００）が、ポリマー貯蔵および補給ユニット（１３２０）と液体ポリマー調製タンク（１３１０）とを含み、
前記ポリマー貯蔵および補給ユニット（１３２０）が、前記装置で使用するバルクポリマーを貯蔵し、
前記液体ポリマー調製タンク（１３１０）が、前記ポリマー貯蔵および補給ユニット（１３２０）からバルクポリマーを、溶媒供給源から溶媒を受け入れ、その中で前記装置のための液体ポリマーを調製することを特徴とする装置。
【請求項５】
請求項４に記載の装置であって、前記液体ポリマー調製タンク（１３１０）と前記リサイクルおよび供給タンク（１２１０）との間に設けられた、前記液体ポリマー調製タンク（１３１０）内で調製した液体ポリマーを前記液体ポリマーリサイクルおよび供給システム（１２００）へ供給するための液体ポリマー補給流（１３０５）を更に含むことを特徴とする装置。
【請求項６】
請求項１から５のいずれかに記載の装置であって、前記電界紡糸筐体（３００）内に設けられたワイヤクリーニングアセンブリ（５００）と、前記電界紡糸筐体（３００）の外に設けられた溶媒貯蔵および供給システム（１４００）とを更に含み、
前記溶媒貯蔵および供給システム（１４００）が、溶媒を前記ワイヤクリーニングアセンブリ（５００）へ供給し、
前記ワイヤ駆動システム（６００）が、複数の前記連続電極ワイヤ（１０００）を、前記ワイヤクリーニングアセンブリ（５００）を通って走行させて、それから残留ポリマーを清掃する、
ことを特徴とする装置。
【請求項７】
請求項６に記載の装置であって、前記溶媒貯蔵および供給システム（１４００）が、溶媒貯蔵タンク（１４１０）と、溶媒供給ポンプ（１４５０）と、溶媒供給流（１４２０）と、液体ポリマー希釈流（１４４０）とを含み、
前記溶媒貯蔵タンク（１４１０）が、前記装置のための溶媒を貯蔵し、
前記溶媒供給流（１４２０）が、前記溶媒貯蔵タンク（１４１０）と前記ワイヤクリーニングアセンブリ（５００）との間に設けられており、
前記液体ポリマー希釈流（１４４０）が、前記溶媒貯蔵タンク（１４１０）と前記液体ポリマーリサイクルおよび供給システム（１２００）との間に設けられており、
前記溶媒供給ポンプ（１４５０）が、前記溶媒供給流（１４２０）を用いて、溶媒を前記ワイヤクリーニングアセンブリ（５００）へ供給し、
前記溶媒供給ポンプ（１４５０）が、前記液体ポリマー希釈流（１４４０）を用いて、溶媒を前記液体ポリマーリサイクルおよび供給システム（１２００）へ供給する、
ことを特徴とする装置。
【請求項８】
請求項７に記載の装置であって、前記溶媒貯蔵および供給システム（１４００）が、前記ワイヤクリーニングアセンブリ（５００）と前記溶媒貯蔵タンク（１４１０）との間に設けられた溶媒再循環流（１４３０）を更に含み、前記溶媒再循環流（１４３０）が、重力流によって前記ワイヤクリーニングアセンブリ（５００）から溶媒を受け入れ、溶媒を前記溶媒貯蔵タンク（１４１０）へ戻すことを特徴とする装置。
【請求項９】
請求項７または８に記載の装置であって、前記溶媒貯蔵タンク（１４１０）と前記液体ポリマー調製タンク（１３１０）との間に設けられた溶媒補給流（１３５０）を更に含み、前記溶媒供給ポンプ（１４５０）が、前記溶媒補給流（１３５０）を用いて、溶媒を前記液体ポリマー調製タンク（１３１０）へ供給することを特徴とする装置。
【請求項１０】
請求項７から９のいずれかに記載の装置であって、前記蒸気収集および溶媒回収システム（１６００）が、前記ワイヤクリーニングアセンブリ（５００）から溶媒蒸気を受け入れる、溶媒蒸気流（１６３０）を更に含むことを特徴とする装置。
【請求項１１】
請求項１０に記載の装置であって、前記蒸気収集および溶媒回収システム（１６００）が、
前記溶媒蒸気流（１６３０）を用いて前記ワイヤクリーニングアセンブリ（５００）から受け入れた溶媒蒸気をその中で凝縮する溶媒凝縮装置（１６４０）と、
溶媒凝縮液流（１６５０）と、
吸着床（１６６０）と、
を更に含み、
前記溶媒凝縮液流（１６５０）が、凝縮した溶媒を前記溶媒凝縮装置（１６４０）から受け入れ、それを前記溶媒貯蔵タンク（１４１０）へ戻し、
前記吸着床（１６６０）が、前記溶媒凝縮装置（１６４０）を通過後も凝縮されずに残っている溶媒蒸気を除去する、
ことを特徴とする装置。
【請求項１２】
請求項１から１１のいずれかに記載の装置であって、前記蒸気収集および溶媒回収システム（１６００）が焼却炉（１６２０）を更に含み、前記焼却炉（１６２０）が、少なくとも１つの排気流（１６０５Ａ，１６０５Ｂ，１６０５Ｃ，１６５０Ｄ）からベントガスを受け入れ、除去することを特徴とする装置。
【請求項１３】
請求項１から１２のいずれかに記載の装置であって、担体コンベヤシステム（１５０）と、ドラフトガス供給源（１７１０）およびドラフトガス分配マニホールド（１７２０）を含むドラフトガスシステムとを更に含み、
前記担体コンベヤシステム（１５０）が、前記電界紡糸筐体（３００）の外に設けられており、前記担体（１２０）を、前記電界紡糸筐体（３００）と、その中に設けられた前記電界紡糸ゾーン（Ｚ）とを通って走行させ、
前記電界紡糸ゾーン（Ｚ）内で、前記ナノスケールまたはサブミクロンスケールのポリマー繊維ウェブ（１１０）が前記担体（１２０）上に集められ、
前記ドラフトガスシステムが、前記ドラフトガス分配マニホールド（１７２０）を用いて、前記電界紡糸ゾーン（Ｚ）内の複数の前記連続電極ワイヤ（１０００）上にドラフトガスを分配して、前記ナノスケールまたはサブミクロンスケールのポリマー繊維ウェブ（１１０）が前記担体（１２０）上に集まることを促す、
ことを特徴とする装置。
【請求項１４】
請求項１３に記載の装置であって、前記蒸気収集および溶媒回収システム（１６００）が、ドラフトガスを前記ドラフトガスシステムへ供給する、熱ガス供給流（１６７０）を更に含むことを特徴とする装置。
【請求項１５】
請求項１から１４のいずれかに記載の装置であって、担体コンベヤシステム（１５０）と乾燥ガスシステムとを更に含み、
前記担体コンベヤシステム（１５０）が、前記電界紡糸筐体（３００）の外に設けられており、前記担体（１２０）を、前記電界紡糸筐体（３００）と、その中に設けられた前記電界紡糸ゾーン（Ｚ）とを通って走行させ、前記電界紡糸ゾーン（Ｚ）内で、前記ナノスケールまたはサブミクロンスケールのポリマー繊維ウェブ（１１０）が前記担体（１２０）上に集められ、
前記乾燥ガスシステムが、一次分配マニホールド（１６９０Ａ）を含む一次乾燥領域を含み、前記一次分配マニホールド（１６９０Ａ）が、一次乾燥ガスを、前記担体（１２０）と、その上に集められた前記ナノスケールまたはサブミクロンスケールのポリマー繊維ウェブ（１１０）に分配して、その乾燥を促すことを特徴とする装置。
【請求項１６】
請求項１５に記載の装置であって、前記乾燥ガスシステムが、二次分配マニホールド（１６９０Ｂ）を含む二次乾燥領域を更に含み、前記二次分配マニホールド（１６９０Ｂ）が、二次乾燥ガスを、前記担体（１２０）と、その上に形成されたポリマー繊維ウェブ（１１０）に分配して、その乾燥を促すことを特徴とする装置。
【請求項１７】
請求項１６に記載の装置であって、前記二次乾燥ガスが、前記一次乾燥ガスよりも相対的に低い溶媒蒸気含量と、相対的に高い温度を持つことを特徴とする装置。
【請求項１８】
請求項１から１７のいずれかに記載の装置であって、少なくとも１つの前記排気流（１６０５Ａ，１６０５Ｂ，１６０５Ｃ，１６５０Ｄ）が、蒸気とガスを前記電界紡糸筐体（３００）から前記蒸気収集および溶媒回収システム（１６００）へ吸引するための、少なくとも１つの送風機（１５０５，１５１０，１５１５，１５２０，１５２５）を更に含むことを特徴とする装置。
【請求項１９】
請求項１から１８のいずれかに記載の装置であって、前記装置が、前記電界紡糸筐体（３００）の近傍に設けられた少なくとも１つの排出制御ボックス（１８００Ａ，Ｂ，Ｃ）を更に含み、少なくとも１つの前記排出制御ボックス（１８００Ａ，Ｂ，Ｃ）が、複数の前記連続電極ワイヤ（１０００）および前記担体（１２０）の１つ以上が前記電界紡糸筐体（３００）に出入りするための開口部を含むことを特徴とする装置。
【請求項２０】
ナノスケールまたはサブミクロンスケールのポリマー繊維ウェブ（１１０）を担体（１２０）上に連続ニードルレス電界紡糸する電界紡糸装置を作動させる方法であって、
前記電界紡糸装置が、
少なくとも１つの液体ポリマーコーティングデバイス（４００）および電界紡糸ゾーン（Ｚ）を含む電界紡糸筐体（３００）と、
前記電界紡糸筐体（３００）の外に設けられたワイヤ駆動システム（６００）と、
を含み、
前記ワイヤ駆動システム（６００）が、複数の連続電極ワイヤ（１０００）を、前記電界紡糸筐体（３００）と、その中に設けられた少なくとも１つの前記液体ポリマーコーティングデバイス（４００）および前記電界紡糸ゾーン（Ｚ）とを通って走行させ、
前記方法が、
液体ポリマー供給物を、前記電界紡糸筐体（３００）の外に設けられた液体ポリマーリサイクルおよび供給システム（１２００）を備えている、少なくとも１つの液体ポリマーコーティングデバイス（４００）へ供給するステップと、
前記電界紡糸筐体（３００）内で発生した蒸気を、前記電界紡糸筐体（３００）の外に設けられた蒸気収集および溶媒回収システム（１６００）で収集および処理するステップと、
を含み、
前記蒸気収集および溶媒回収システム（１６００）が、前記電界紡糸筐体（３００）内の圧力を大気圧よりも低く保つことを特徴とする方法。
【手続補正２】
【補正対象書類名】明細書
【補正対象項目名】０００３
【補正方法】変更
【補正の内容】
【０００３】
現在の噴射ノズル、ニードルジェット、およびスピニングジェット製造法での生産速度は、通常、ノズル／ジェット当たり毎時約０．０５グラム（ｇ／時間）から約０．１５ｇ／時間の範囲である。生産速度を上げるため、多くの方法が研究および／または使用されてきた。このような方法としては、ガスアシスト電界紡糸、マルチノズルシステムの使用、ノズルレス／ニードルレスシステムの使用、スピニングジェットの総数の増加が挙げられる。これらの方法にはそれぞれ問題があるが、最大持続生産速度は、（工業用の）装置当たり毎時約２キログラム（ｋｇ／時間）に過ぎない。ノズル／ニードルシステムに関する問題としては、噴射ノズル／ニードルオリフィスの目詰まり、ノズル配置を最適化することの難しさ、各ノズルを通る流量を均一に保つことの難しさが挙げられる。ノズルレス／ニードルレスシステムに関する問題としては、溶液タンクからの溶媒の蒸発を制御できないため、溶液の濃度と粘度が変動すること、電界紡糸要素の表面にポリマー層コーティングが堆積して、繊維紡糸速度が著しく低下してしまうことが挙げられる。
ＷＯ／２００９／０１００２０は、少なくとも１つの紡糸電極と、それに対して（against）配置した収集電極との間の静電界内で、液体マトリックスを紡糸する方法に関し、この方法では、一方の電極を高電圧電源の一方の極に繋げ、第２の電極を接地し、そこにおいて、紡糸される液体マトリックは、紡糸電極であるひも状（cord）紡糸手段の活性紡糸ゾーン上の静電界内にある。
【手続補正３】
【補正対象書類名】明細書
【補正対象項目名】００１３
【補正方法】削除
【補正の内容】
【手続補正４】
【補正対象書類名】明細書
【補正対象項目名】０１００
【補正方法】変更
【補正の内容】
【０１００】
上記の実施形態（またはその１つ以上の態様）は、互いに組み合わせて用いることができる。技術的開示内容の本質を読者がより速く確認できるよう、３７Ｃ．Ｆ．Ｒ．§１．７２（ｂ）に従って要約を提示する。これは、請求項の範囲または意図を解釈または制限するために使用されるものではないという理解のもとに提示されている。更に、先の発明を実施するための形態では、開示内容を簡素化するため、様々な特徴をひとまとめにしていることがある。これは、請求項に示されない開示された特徴が任意の請求項に必須であることを意図していると解釈すべきではない。むしろ、発明の主題が、特定の開示された態様の全ての特徴を含んでいないこともある。従って、後の請求項はこれにより、例または態様として発明を実施するための形態に含まれ、それぞれの請求項は個々の態様として自立しており、このような態様は、様々な組み合わせまたは順列で互いに組み合わせ可能であることが意図されている。本開示内容の範囲は、添付の請求項に準拠して決定されるべきである。
【国際調査報告】
2020504248.tif 000020
2020504248.tif 000021
2020504248.tif 000022